(57)【要約】【課題】ユーザの操作時間を短縮し、利便性の向上を図る【解決手段】複数の外部通信装置と通信する通信部と、前記通信部を介して得た前記複数の外部通信装置の情報に基づいて、前記複数の外部通信装置を１又は複数のグループ枠のいずれかに振り分ける振分部と、を備える通信装置。【選択図】図６
2019028222.tif 000002
【特許請求の範囲】
【請求項１】
複数の外部通信装置と通信する通信部と、
前記通信部を介して得た前記複数の外部通信装置の情報に基づいて、前記複数の外部通信装置を１又は複数のグループ枠のいずれかに振り分ける振分部と、
を備える通信装置。
【請求項２】
前記外部通信装置の振分け先とする１又は複数のグループ枠の振分種別を設定する設定部を更に備える
請求項１に記載の通信装置。
【請求項３】
前記設定部は、前記通信部を介して得た前記外部通信装置の情報に基づいて前記１又は複数のグループ枠の振分種別を設定する
請求項２に記載の通信装置。
【請求項４】
前記設定部は、ユーザの入力情報に基づいて前記１又は複数のグループ枠の振分種別を設定する
請求項２に記載の通信装置。
【請求項５】
前記振分部は、前記通信部と接続する前記外部通信装置の数の情報を用いて前記外部通信装置のグループ枠への振分けを行う
請求項３に記載の通信装置。
【請求項６】
前記振分部は、前記通信部を介して得た前記外部通信装置の発光量情報を用いて前記外部通信装置のグループ枠への振分けを行う
請求項３に記載の通信装置。
【請求項７】
前記設定部は、ユーザにより入力された発光量比率の情報に基づいて、各グループ枠の発光量比率を設定し、
前記振分部は、各グループ枠の発光量比率と前記通信部を介して得た前記外部通信装置の発光量情報を用いて、前記外部通信装置のグループ枠への振分けを行う
請求項６に記載の通信装置。
【請求項８】
前記振分部は、複数の前記外部通信装置のうち発光量の大きいものから順番にグループ枠への振分けを行う
請求項６に記載の通信装置。
【請求項９】
設定された各グループ枠の発光量比率と、振分けられた各グループ枠の前記外部通信装置の発光量比率との比較結果に応じて、ユーザに対して通知するための処理を行う通知部を備える
請求項７に記載の通信装置。
【請求項１０】
前記振分部は、前記通信部を介して得た前記外部通信装置の属性情報を用いて、グループ枠に振分けられた複数の前記外部通信装置が共通の属性を有するように、前記外部通信装置のグループ枠への振分けを行う
請求項３に記載の通信装置。
【請求項１１】
前記設定部がユーザの入力情報に基づいて各グループ枠の属性を設定するとともに、
前記振分部による振分けの結果、設定された属性の前記外部通信装置が振分けられていないグループ枠があることをユーザに対して通知するための処理を行う通知部を備える
請求項１０に記載の通信装置。
【請求項１２】
前記振分部は、前記通信部を介して得た前記外部通信装置の種別情報を用いて、グループ枠に振分けられた複数の前記外部通信装置が共通の属性を有するように、前記外部通信装置のグループ枠への振分けを行う
請求項１０に記載の通信装置。
【請求項１３】
前記振分部は、前記通信部を介して得た前記外部通信装置の位置情報を用いて前記外部通信装置のグループ枠への振分けを行う
請求項３に記載の通信装置。
【請求項１４】
前記外部通信装置のグループ枠への振分け中又は振分け後に、外部通信装置が新たに追加された場合、前記振分部は前記追加された外部通信装置の情報を用いて前記追加された外部通信装置のグループ枠への振分けを行う
請求項３に記載の通信装置。
【請求項１５】
前記外部通信装置は発光装置とされる
請求項１に記載の通信装置。
【請求項１６】
複数の外部通信装置と通信を行い、
前記通信を介して得た前記複数の外部通信装置の情報に基づいて、前記複数の外部通信装置を１又は複数のグループ枠のいずれかに振り分ける
通信装置の制御方法。
【請求項１７】
通信装置と、該通信装置との通信の接続対象となる複数の外部通信装置と、を備え、
前記通信装置は、
前記複数の外部通信装置と通信を行い、
前記通信を介して得た前記複数の外部通信装置の情報に基づいて、前記複数の外部通信装置を１又は複数のグループ枠のいずれかに振り分ける
通信システム。
【請求項１８】
通信部と、
上位機器に対して、前記上位機器でのグループ枠への振分処理に用いる自己の情報を、前記通信部を介して送信させる制御部と、を備える
通信装置。
【発明の詳細な説明】
【技術分野】
【０００１】
本技術は、無線通信を行う他の通信装置をグループ枠に振分ける通信装置、当該通信装置の制御方法及び通信システムの技術分野に関する。
【背景技術】
【０００２】
親機から複数台の子機に無線通信を行うことが可能な通信機器においては、目的に応じてそれぞれの子機を振分けることでグループを設定し、親機はそれぞれのグループ単位で無線通信を行うことがある。このような無線通信を行う通信機器としては、例えば特許文献１に記載のものが挙げられる。
【先行技術文献】
【特許文献】
【０００３】
【特許文献１】特開２００９−１８６７０２号公報
【発明の概要】
【発明が解決しようとする課題】
【０００４】
特許文献１には、通信機器として、無線通信による多灯発光が可能なフラッシュ機器を挙げ、子機ごとに発光グループを設定し、親機から無線通信により子機を発光させる場合に同一の発光グループに属する子機を同一の発光量や発光方式で発光することが記載されている。
【０００５】
このような無線通信による多灯発光においては、同一の発光量や発光方式で発光させたい子機を同一の発光グループとして設定する際に、発光指示を受け取る子機側から子機自身の発光グループをユーザの操作により設定する必要があった。そのため子機を複数用いる場合においては、全ての子機についてユーザがそれぞれ操作により発光グループを設定するといった手間が生じていた。
従って、親機と無線通信を行う子機をグループ分けするにあたって、簡易な操作で手間の掛からない通信機器の開発が望まれている。
【０００６】
そこで本技術は、指示を発信する親機から子機のグループ振分けを自動的に行う機能を提供することを目的とする。
【課題を解決するための手段】
【０００７】
本技術に係る通信装置は、複数の外部通信装置と通信する通信部と、前記通信部を介して得た前記複数の外部通信装置の情報に基づいて、前記複数の外部通信装置を１又は複数のグループ枠のいずれかに振り分ける振分部と、を備えるものである。
これにより通信装置は、外部通信装置の情報を取得して、取得した情報に基づいて当該外部通信装置を設定したグループ枠に自動的に振分ける。
ここでいう情報には、外部通信装置の属性情報や外部通信装置との通信状態の有無の情報等の様々な情報が含まれる。
【０００８】
上記した本技術に係る通信装置においては、前記外部通信装置の振分け先とする１又は複数のグループ枠の振分種別を設定する設定部を更に備えることが考えられる。
これにより、通信装置及び外部通信装置の用途に応じた複数のグループ枠が設定される。ここで、振分種別とはグループ枠を設定する際に基準となる情報の種類をいう。振分種別としては、例えば外部通信装置の数の情報、発光量情報、属性情報、位置情報等が挙げられる。
【０００９】
また上記した本技術に係る通信装置においては、前記設定部は、前記通信部を介して得た前記外部通信装置の情報に基づいて前記１又は複数のグループ枠の振分種別を設定することが考えられる。
これにより、取得した外部通信装置の情報を反映させたグループが形成される。
【００１０】
上記した本技術に係る通信装置においては、前記設定部は、ユーザの入力情報に基づいて前記１又は複数のグループ枠の振分種別を設定することが考えられる。
これにより通信装置は、外部通信装置を振分けるためのグループ枠をユーザの入力情報に基づいて設定する。
【００１１】
上記した本技術に係る通信装置においては、前記振分部は、前記通信部と接続する前記外部通信装置の数の情報を用いて前記外部通信装置のグループ枠への振分けを行うことが考えられる。
これにより、外部通信装置の台数情報に応じたグループ枠への振分けが自動的に行われる。
【００１２】
上記した本技術に係る通信装置においては、前記振分部は、前記通信部を介して得た前記外部通信装置の発光量情報を用いて前記外部通信装置のグループ枠への振分けを行うことが考えられる。
これにより、外部通信装置の有する発光量情報に応じたグループ枠への振分けが自動的に行われる。
【００１３】
上記した本技術に係る通信装置においては、前記設定部は、ユーザにより入力された発光量比率の情報に基づいて、各グループ枠の発光量比率を設定し、前記振分部は、各グループ枠の発光量比率と前記通信部を介して得た前記外部通信装置の発光量情報を用いて、前記外部通信装置のグループ枠への振分けを行うことが考えられる。
これにより、外部通信装置を振分けるためのグループ枠がユーザにより入力された発光量比率の情報に基づいて設定され、当該入力された発光量比率に近づくように外部通信装置がグループ枠に自動的に振分けられる。
【００１４】
上記した本技術に係る通信装置においては、前記振分部は、複数の前記外部通信装置のうち発光量の大きいものから順番にグループ枠への振分けを行うことが考えられる。
これにより、各グループ枠の発光量比率に与える影響の大きい外部通信装置から順にグループ枠への振分けが自動的に行われる。
【００１５】
上記した本技術に係る通信装置においては、設定された各グループ枠の発光量比率と、振分けられた各グループ枠の前記外部通信装置の発光量比率との比較結果に応じて、ユーザに対して通知するための処理を行う通知部を備えることが考えられる。
各グループ枠に外部通信装置を振分けた際に、振分けられた各グループの外部通信装置の発光比率と、設定された各グループ枠の発光量比率との乖離が許容範囲を超えることがある。そういった場合に、その旨をユーザに通知する処理を行う。
【００１６】
上記した本技術に係る通信装置においては、前記取得部は、前記振分部は、前記通信部を介して得た前記外部通信装置の属性情報を用いて、グループ枠に振分けられた複数の前記外部通信装置が共通の属性を有するように、前記外部通信装置のグループ枠への振分けを行うことが考えられる。
これにより、グループの目的に必要な属性を有する外部通信装置について、グループ枠へ振分けが自動的に行われる。
【００１７】
上記した本技術に係る通信装置においては、前記設定部がユーザの入力情報に基づいて各グループ枠の属性を設定するとともに、前記振分部による振分けの結果、設定された属性の前記外部通信装置が振分けられていないグループ枠があることをユーザに対して通知するための処理を行う通知部を備えることが考えられる。
ユーザの入力情報に基づいて各グループ枠の属性を設定し、グループ枠ごとに設定された属性の外部通信装置を振分けた際、グループ枠に振分けることができる外部通信装置が存在しないことがある。このような場合にはユーザにその旨を通知する。
【００１８】
上記した本技術に係る通信装置においては、前記振分部は、前記通信部を介して得た前記外部通信装置の種別情報を用いて、グループ枠に振分けられた複数の前記外部通信装置が共通の属性を有するように、前記外部通信装置のグループ枠への振分けを行うことが考えられる。
即ち、グループの目的に必要な種別情報を有する外部通信装置について、グループ枠への振分けが自動的に行われる。
【００１９】
上記した本技術に係る通信装置においては、前記振分部は、前記通信部を介して得た前記外部通信装置の位置情報を用いて前記外部通信装置のグループ枠への振分けを行うことが考えられる。
これにより、位置情報に応じた外部通信装置のグループ枠への振分けが自動的に行われる。
【００２０】
上記した本技術に係る通信装置においては、前記外部通信装置のグループ枠への振分け中又は振分け後に、外部通信装置が新たに追加された場合、前記振分部は前記追加された外部通信装置の情報を用いて前記追加された外部通信装置のグループ枠への振分けを行うことが考えられる。
これにより、追加された外部通信装置についても自動的にグループ枠への振分けが行われる。
【００２１】
上記した本技術に係る通信装置においては、前記外部通信装置は発光装置とされることが考えられる。
即ち、発光装置について、取得した情報に応じたグループ枠への振分けが自動的に行われる。
【００２２】
本技術に係る通信装置の制御方法は、複数の外部通信装置と通信を行い、前記通信を介して得た前記複数の外部通信装置の情報に基づいて、前記複数の外部通信装置を１又は複数のグループ枠のいずれかに振り分けるものである。
これにより通信装置は、外部通信装置の情報を取得して、取得した情報に基づいて当該外部通信装置を設定したグループ枠に自動的に振分ける。外部通信装置をグループ枠に振分けることで、取得した情報を反映させたグループが形成される。
【発明の効果】
【００２３】
本技術によれば、通信装置は、取得した外部通信装置の情報に基づいて当該外部通信装置をグループ枠に自動的に振分けることで、ユーザの操作を容易化し、利便性の向上を図ることができる。
なお、ここに記載された効果は必ずしも限定されるものではなく、本開示中に記載されたいずれかの効果であってもよい。
【図面の簡単な説明】
【００２４】
【図１】本技術の実施の形態のフラッシュ装置の構成の説明図である。
【図２】本技術の実施の形態のカメラ装置の構成の説明図である。
【図３】本技術の実施の形態のコマンダ及びレシーバの使用態様の説明図である。
【図４】本技術の実施の形態のフラッシュ装置の機能構成を示すブロック図である。
【図５】本技術の実施の形態のカメラ装置の機能構成を示すブロック図である。
【図６】本技術の第１の実施の形態のワイヤレスフラッシュシステムの説明図である。
【図７】本技術の第１の実施の形態のフローチャートである。
【図８】本技術の第２の実施の形態のワイヤレスフラッシュシステムの説明図である。
【図９】本技術の第２の実施の形態における第１例のフローチャートである。
【図１０】本技術の第２の実施の形態の取得する発光量情報の説明図である。
【図１１】本技術の第２の実施の形態における第２例のフローチャートである。
【図１２】本技術の第２の実施の形態における第３例のフローチャートである。
【図１３】本技術の第３の実施の形態のワイヤレスフラッシュシステムの説明図である。
【図１４】本技術の第３の実施の形態における第１例のフローチャートである。
【図１５】本技術の第３の実施の形態の取得する属性情報の説明図である。
【図１６】本技術の第３の実施の形態における第２例のフローチャートである。
【図１７】本技術の第３の実施の形態における第３例のフローチャートである。
【図１８】本技術の第４の実施の形態のワイヤレスフラッシュシステムの説明図である。
【図１９】本技術の第４の実施の形態のフローチャートである。
【発明を実施するための形態】
【００２５】
以下、実施の形態を次の順序で説明する。
＜１．フラッシュ装置の概要＞
＜２．カメラ装置の概要＞
＜３．フラッシュ装置及びカメラ装置の使用方法＞
＜４．フラッシュ装置の構成＞
＜５．カメラ装置の構成＞
＜６．第１の実施の形態＞
＜７．第２の実施の形態＞
＜８．第３の実施の形態＞
＜９．第４の実施の形態＞
＜１０．まとめ及び変形例＞
【００２６】
なお、使用する各用語の意味は次の通りである。
コマンダとは、請求項における通信装置のことをいい、本実施の形態においては、特にカメラ装置に装着されたフラッシュ装置を指す。コマンダは、後述するグループ枠へのレシーバの振分けを、ユーザの入力情報に基づいて自動的に行う。また、コマンダはレシーバにグループごとに指示を送信することができる。なお、コマンダはレシーバ毎に個別に指示を送信することも、もちろん可能である。
レシーバとは、請求項における外部通信装置のことをいい、コマンダからの指示に応じて動作を行う通信装置をいう。本実施の形態の例では、カメラ装置に装着されていないフラッシュ装置をレシーバとして説明する。
グループ枠とは、取得した情報に基づいて設定される、レシーバを振分けるための仮想的な枠組みをいう。レシーバがグループ枠に振分けられることでグループが形成される。
以下、図面に従って本技術を適用した実施の形態として、フラッシュ装置とカメラ装置を用いたワイヤレスフラッシュシステムについて説明する。
【００２７】
＜１．フラッシュ装置の概要＞
フラッシュ装置１の構成について、図１を参照して説明する。図１Ａは、フラッシュ装置１について正面側からみた外観斜視図であり、図１Ｂは、フラッシュ装置１を背面側からみた外観斜視図である。
【００２８】
フラッシュ装置１は、フラッシュ本体部２と発光ユニット３を有して構成されている。
フラッシュ本体部２は、図１Ａに示すように、例えば略直方体状に形成され、フラッシュ本体部２の上部には発光ユニット３が設けられている。発光ユニット３はフラッシュ本体部２に対して垂直及び水平方向に旋回可能に設けられている。
これにより発光ユニット３は、フラッシュ光を被写体に直接あてずに部屋の天井や壁に向けて発光させるバウンス撮像を行うことができる。このようなバウンス撮像可能な構成を有することで、様々な構図、撮像シーンに合わせたライティング表現が可能となる。
また、発光ユニット３が旋回可能に設けられていることで、地面に置いたフラッシュ装置１の発光方向を調整することや、シンクロケーブル等を用いて延長されたフラッシュ装置１の発光方向を調整することが容易となる。
【００２９】
発光ユニット３の正面には、発光部４が設けられている。本実施の形態では一例として、発光部４はフレネルレンズを含み、内部にはキセノン管が配置されており、発光部４のフレネルレンズを通してフラッシュ光が照射される。なお、発光部４としてＬＥＤ（Light Emitting Diode）を用いることも考えられる。
【００３０】
フラッシュ本体部２の下部には被固定部５が設けられている。被固定部５の下部にはカメラ装置１０と有線通信を行うための端子５ａが配設されている。
フラッシュ装置１の被固定部５を、後述するカメラ装置１０に設けられた固定部１６に装着することで、フラッシュ装置１とカメラ装置１０を有線通信可能に接続するとともに、カメラ装置１０にフラッシュ装置１を固定する。
【００３１】
フラッシュ本体部２の正面には、補助光窓６が設けられている。
補助光窓６は、被写体が暗い場合に、被写体を照明することによりカメラのオートフォーカス（Autofocus）を補助する補助光投射用の投光用のレンズを含む窓である。投射する補助光としては、例えばＬＥＤが搭載されている。
【００３２】
フラッシュ本体部２の内部には、フラッシュ装置１の全体を制御するための制御回路等が設けられている。
またフラッシュ本体部２の内部には、無線電波通信用のアンテナが設けられており、レシーバであるフラッシュ装置１からコマンダであるフラッシュ装置１又はカメラ装置１０への機種情報等の送信を無線通信により行う。また、コマンダ側から無線通信により信号を送信することで、レシーバを発光させることも可能である。
【００３３】
フラッシュ本体部２の背面には、図１Ｂに示すように、フラッシュ表示部７、操作ボタン８ａ、メニューボタン８ｂ、モードボタン８ｃ、ズームボタン８ｄ、充電／テストボタン８ｅ及び電源スイッチ８ｆが配置されている。
フラッシュ表示部７は、例えばＬＣＤ（Liquid Crystal Display）装置やＯＬＥＤ（Organic Light Emitting Diode）装置などの表示装置である。
【００３４】
操作ボタン８ａは、上下左右の方向にそれぞれ設けられた方向キーと、方向キーの中央部に設けられた決定ボタンとから構成されている。方向キーをそれぞれ操作することで、表示部に表示されるカーソルを移動させることができる。また、決定ボタンを操作することにより、選択された項目を確定する。
【００３５】
メニューボタン８ｂは、メニューモード設定用の操作子である。メニューボタン８ｂを操作すると、表示部にメニュー画面が表示され、この状態で操作ボタン８ａを操作することにより、所望の設定等を行うことができる。
【００３６】
モードボタン８ｃは、フラッシュ装置１の動作モードを設定するための操作子である。フラッシュ装置１の発光制御の各種モード、例えばＴＴＬオートモード、オートモード、マニュアルモード、ワイヤレスリモートコントロールモード等を設定するボタンである。ワイヤレスリモートコントロールモードは、レシーバを用いる場合に選択可能な動作モードである。
【００３７】
ズームボタン８ｄは、発光ユニット３による発光における照射角を設定するための操作子である。照射角とは、フラッシュ光がある一定の明るさ以上にムラなく照射される範囲を角度で表したものである。
【００３８】
充電／テストボタン８ｅは、フラッシュ装置１の充電が完了すると点灯し、充電／テストボタン８ｅを押すことでフラッシュ装置１のテスト発光を行う。また、電源スイッチ８ｆは、フラッシュ装置１の電源を投入するための操作子である。
【００３９】
＜２．カメラ装置の概要＞
続いて、カメラ装置１０の構成について図２を参照して説明する。図２Ａは、カメラ装置１０について正面側からみた外観斜視図であり、図２Ｂは、カメラ装置１０を背面側からみた外観斜視図である。
カメラ装置１０は撮像素子を備え、撮像素子からの出力に基づく画像データを記録媒体に記録可能である。また被写体観察時には、画像データに基づいてリアルタイムで背面に設けたカメラ表示部１８若しくはファインダ１７に表示する。
【００４０】
カメラ本体部１１の正面の略中央にはレンズユニット１２が装着されている。レンズユニット１２には、被写体像を形成するための撮像レンズ１３が配置されている。
レンズ鏡筒内部にはズームレンズが設けられており、ズームリング１２ａを回動させることにより、ズーミング動作を行うことができる。
【００４１】
カメラ本体部１１の上部には、シャッターボタン１４、電源ボタン１５、固定部１６、ファインダ１７が設けられている。シャッターボタン１４は静止画等の撮像を指示するための操作子であり、電源ボタン１５はカメラ本体部１１に電源を投入するための操作子である。
【００４２】
カメラ装置１０の固定部１６はフラッシュ装置１の被固定部５に係合可能であり、図３に示すように、カメラ装置１０にフラッシュ装置１を固定することができる。
固定部１６の上面には通信用の端子１６ａが設けられており、これらの端子１６ａを介してカメラ装置１０とフラッシュ装置１は有線通信を行う。
【００４３】
また、カメラ本体部１１には、図示しない無線通信用のアンテナが設けられている。当該アンテナを介して、フラッシュ装置１との間で無線通信を行うことができる。これによって、カメラ装置１０はコマンダとして機能して、装着していないレシーバ（フラッシュ装置１）に制御信号の送信を行うことで、当該レシーバ（フラッシュ装置１）を発光させることもできる。
【００４４】
なお、図示しないが、カメラ装置１０はフラッシュ機能を内蔵していてもよい。この場合において、当該内蔵フラッシュは、カメラ装置１０のみでの撮像時の照明光源や、ワイヤレスフラッシュでの撮像時には、コマンダとしての信号発光をレシーバに行うことができる。
【００４５】
ファインダ１７は、カメラ本体部１１の背面の上部に設けられている。撮像レンズ１３によって形成される被写体像は、カメラ本体部１１内の可動反射鏡、ファインダスクリーン、ペンタプリズム等のファインダ光学系を介し、ファインダ１７から視認することができる。
【００４６】
また、カメラ本体部１１の背面にはカメラ表示部１８、操作ボタン１９、メニューボタン２０、モードボタン２１、ＤＳＰボタン２２、ＩＮＦＯボタン２３が設けられている。カメラ表示部１８は、記録した撮像画像の再生、各種情報の設定画面、およびライブビュー画像の表示を行う。
【００４７】
操作ボタン１９は、図１Ｂに示した操作ボタン８ａと同様に、上下左右の４方向に設けられた方向キーと、当該方向キーの中央に設けられた決定ボタンとから構成されている。当該方向キーをそれぞれ操作することにより、カメラ表示部１８に表示されるカーソルを移動させることができ、決定ボタンを操作することにより項目を決定する。
メニューボタン２０は、図１Ｂに示したメニューボタン８ｂと同様に、メニューモード設定用の操作子である。
モードボタン２１は、プログラムモード、絞り優先モード、シャッター優先モード、マニュアルモード等のカメラ装置１０の撮像モードを切り換えるための操作子である。
ＤＳＰボタン２２はカメラ表示部１８で表示されるライブビューのオンオフの切換を行う操作子である。ＩＮＦＯボタン２３は、カメラ表示部１８に表示する情報の表示形態の切り換えを行う操作子である。
なお、上述したフラッシュ装置１及びカメラ装置１０の構造は、本実施の形態の一例として示したものであり、上述の構造に限定されるものではない。フラッシュ装置１及びカメラ装置１０は、本技術を実現することが可能であれば、様々な構造を採用することができる。
【００４８】
＜３．フラッシュ装置及びカメラ装置の使用方法＞
次に、コマンダとレシーバを用いたワイヤレスフラッシュシステムについて、図３を参照して説明する。
カメラ装置１０に直接取り付けたフラッシュ装置１によるライティングでは、背景に強い影が出てしまったり、平面的な描写になりがちで、表現の幅には限界がある。そこで、よりクリエイティブな表現を行うためにワイヤレスフラッシュシステムが用いられる。例えば、カメラ装置１０に装着されていないフラッシュ装置１を用いて被写体の側面等から光を当てることにより、輪郭が際立った立体的で陰影のある撮像が実現できる。
【００４９】
ワイヤレスフラッシュシステムでは、１台のコマンダと１台または複数台のレシーバで構成される。以下、カメラ装置１０に取り付けられているフラッシュ装置１をコマンダＣＭＤとし、オフカメラの４台のフラッシュ装置１をレシーバＲＶとする。コマンダＣＭＤとレシーバＲＶは互いに無線通信機能を有しており、互いに各種情報のやりとりが可能である。
【００５０】
図３に示す例では、４台のレシーバＲＶのうち、３台がグループＧＰ１に、１台がグループＧＰ２に振分けられている。なお、レシーバＲＶが振分けられたグループの数は２以上であってもよいし、１つであってもよい。また、グループ枠に振分けるレシーバＲＶの台数は、２台以上であってもよいし、１台であってもよい。
【００５１】
ユーザは、コマンダＣＭＤを操作することで、配線で接続することなく無線通信によりレシーバＲＶに発光等の動作を行わせることができる。このように、レシーバＲＶをグループ枠に振分けることで、レシーバＲＶとしての１又は複数のフラッシュ装置１を目的に応じて好きな場所に設置することができ、グループごとの発光量や発光のタイミングなどをコマンダＣＭＤの操作により自在にコントロールすることができる。
【００５２】
このような技術において、ユーザは、レシーバＲＶをグループ枠に振分ける際に、発光指示を受け取るレシーバＲＶ側の操作により行う必要があった。このことは、レシーバＲＶが複数ある場合等に、ユーザにとって手間の掛かる作業となっている。
また、例えば、グループごとに所定の発光量比率となるようにグループ枠を設定しようとした場合等においては、ユーザがレシーバＲＶごとの性能を知っていることが前提となる。そのため、ユーザがレシーバＲＶごとの性能を知らない場合は、レシーバＲＶの性能を調べたうえでグループ枠を設定する必要があり、調べる手段がないときにはユーザの目的が反映されたグループ枠の設定が困難となることがあった。
そこで本技術では、上記課題を解決するために以下の構成をとることとした。
【００５３】
＜４．フラッシュ装置の構成＞
本技術におけるコマンダＣＭＤあるいはレシーバＲＶとして機能するフラッシュ装置１の内部構成について、図４を参照して説明する。図４は、実施の形態におけるフラッシュ装置１のブロック図である。
フラッシュ装置１は図４に示すように、フラッシュ制御部３０、メモリ部３１、発光部３２、発光制御回路３３、測光センサ３４、操作入力部３５、表示制御部３６、フラッシュ表示部７、コネクタ部３７、通信部３８、電源部３９、測位部４０を有する。
【００５４】
フラッシュ制御部３０はＣＰＵ（Central Processing Unit）を備えたマイクロコンピュータ（演算処理装置）により構成される。フラッシュ制御部３０は、測光センサ３４、コネクタ部３７や通信部３８等からの情報や操作入力部３５からの操作に従ってフラッシュ装置１の発光等の各種制御を行う。
【００５５】
さらに本実施の形態では、フラッシュ制御部３０は、例えばソフトウェアで実現する機能として、設定部３０ａ、振分部３０ｂ及び通知部３０ｃとしての機能を有する。
【００５６】
設定部３０ａは、レシーバＲＶの振分け先となる１又は複数のグループ枠を設定する。グループ枠の設定は、ユーザがコマンダＣＭＤを操作することにより行われる。設定部３０ａは、操作入力部３５から受信したユーザの入力情報に基づいてグループ枠を設定する。
ユーザの入力情報としては、グループ枠へのレシーバＲＶの振分け台数やグループ枠ごとの発光量比率、グループ枠ごとの使用目的等が挙げられる。
ユーザの入力情報の入力例としては、例えばグループ枠へのレシーバＲＶの振分け台数であれば、「グループＧＰ１に３台、グループＧＰ２に１台」と入力することで、グループＧＰ１及びグループＧＰ２のグループ枠がそれぞれ設定される。
【００５７】
振分部３０ｂは、後述する通信部３８を介して得た複数のレシーバＲＶの情報に基づいて、設定部３０ａが設定したグループ枠にレシーバＲＶを振分ける。
例えば、設定部３０ａがレシーバＲＶの振分け台数に基づいてグループ枠を設定した場合、振分部３０ｂは、通信部３８を介して得た複数のレシーバＲＶの台数情報に基づいてレシーバＲＶのグループ枠への振分けを行う。
これにより、設置予定のレシーバＲＶのそれぞれについて、ユーザが入力操作を行うことでグループ枠を設定することなしに、コマンダＣＭＤ側の設定に応じてレシーバＲＶをグループ枠に自動的に振分けることができる。
【００５８】
通知部３０ｃは、振分部３０ｂがレシーバＲＶのグループ枠への振分けを行った際に、グループ枠への振分けが適切に行われなかった場合は、その旨を通知させるための処理を行う。通知部３０ｃは、例えば表示制御部３６を介してフラッシュ表示部７に通知内容を表示させることで、ユーザに対して通知が行われるようにする。
通知部３０ｃは、グループ枠への振分けが適切に行われなかった場合は、通常その旨を通知させるための処理を行うが、当該通知させる処理を行わないこととしてもよい。
グループ枠への振分けが適切に行われなかった場合としては、例えば、設定された各グループ枠の発光量比率と、振分けられたグループごとのレシーバＲＶの発光量比率との乖離が大きい場合や、振分部３０ｄによる振分けの結果、グループ枠に必要なレシーバＲＶがなかった場合等が考えられる。
【００５９】
以上説明した設定部３０ａ、振分部３０ｂ及び通知部３０ｃの各機能は、それぞれ独立したプログラムで実現されてもよいし、一つのプログラムにより複数の機能の処理が実行されてもよい。さらに一つの機能が複数のプログラムモジュールの連携で実現されてもよい。
【００６０】
メモリ部３１は、フラッシュ制御部３０が処理に用いる情報等を記憶する部位としての、例えばＲＯＭ（Read Only Memory）、ＲＡＭ（Random Access Memory）、フラッシュメモリなど包括的に示している。メモリ部３１はフラッシュ制御部３０としてのマイクロコンピュータチップに内蔵されるメモリ領域であってもよいし、別体のメモリチップにより構成されてもよい。
フラッシュ制御部３０はメモリ部３１のＲＯＭやフラッシュメモリ等に記憶されたプログラムを実行することで、このフラッシュ装置１全体を統括的に制御する。
メモリ部３１におけるＲＡＭは、ＣＰＵの各種データ処理の際の作業領域として、データやプログラム等の一時的な格納に用いられる。
メモリ部３１におけるＲＯＭやフラッシュメモリ（不揮発性メモリ）は、ＣＰＵが各部を制御するためのＯＳ（Operating System）や、画像ファイル等のコンテンツファイルの他、各種動作のためのアプリケーションプログラムや、ファームウエア等の記憶に用いられる。
【００６１】
発光部３２は、例えばキセノン（Xe）管等で構成される。発光制御回路３３は、コンデンサ等から構成され発光部３２を発光させるためのエネルギーを蓄積するとともに、発光部３２の発光量を、フラッシュ制御部３０により設定された発光量に制御する。
フラッシュ制御部３０は、コマンダＣＭＤからの発光要求信号をレシーバＲＶの通信部３８又はコネクタ部３７を介して受信すると、発光制御回路３３に発光指示を送り、キセノン管を放電させて発光部３２を発光させる。コネクタ部３７は、フラッシュ装置１がカメラ装置１０に装着されている場合に、後述するカメラ制御部５０からの発光要求信号をフラッシュ制御部３０に送信する。
【００６２】
測光センサ３４は、被写体周辺の光量や補助光窓６からの発光による被写体からの反射光等を検出する。検出された反射光によるアナログの電気信号は、図示しないＡ／Ｄ変換器によりデジタル信号に変換される。フラッシュ制御部３０は、当該変換されたデジタル信号に基づいてフラッシュの際の発光量を調節する。なお、測光センサ３４は、カメラ装置１０に設けることも可能である。これにより、測光センサ３４は、カメラ装置１０のカメラレンズを介して被写体周辺の光量や被写体からの反射光等をより正確に検出することができる。
【００６３】
操作入力部３５は、図１に示す操作ボタン８ａ、メニューボタン８ｂ、モードボタン８ｃ、ズームボタン８ｄ、充電／テストボタン８ｅ及び電源スイッチ８ｆを含む各種ボタン及びスイッチ等を備えて構成される。操作入力部３５に対するユーザの入力操作に応答して、フラッシュ制御部３０が各部に必要な動作を実現させる。
【００６４】
表示制御部３６は、フラッシュ制御部３０から受信した制御情報に従って、フラッシュ表示部７に表示する画面の生成や、フラッシュ表示部７での表示を制御する。
フラッシュ表示部７には、例えば、フラッシュ装置１自身の情報や、フラッシュ装置１に取り付けられたカメラ装置１０の情報、ワイヤレスフラッシュシステムを用いた際の設定されたグループに関する情報等が表示される。また表示制御部３６は、各種操作メニュー、アイコン、メッセージ等、即ちＧＵＩ（Graphical User Interface）としての表示をフラッシュ表示部７の画面上に実行させる。
【００６５】
コネクタ部３７は、フラッシュ装置１とカメラ装置１０が、被固定部５と固定部１６を嵌め合わせることによって係合された際に、フラッシュ装置１とカメラ装置１０との間の信号の送受信を行う。例えば、カメラ装置１０から発光要求信号が入力されると、当該発光要求信号はコネクタ部３７を介してフラッシュ制御部３０へと伝達される。
【００６６】
通信部３８は、他のフラッシュ装置１又はカメラ装置１０と無線通信を行う。コマンダＣＭＤとされたフラッシュ装置１におけるフラッシュ制御部３０は、通信部３８を介してレシーバＲＶの属性等の様々な情報を取得する。また、コマンダＣＭＤとしてのフラッシュ制御部３０は、カメラ装置１０から受信した発光要求信号を、通信部３８を介してレシーバＲＶに送信する。
レシーバＲＶとされたフラッシュ装置１におけるフラッシュ制御部３０は、通信部３８を介して発光駆動情報を受信したり、様々な情報をコマンダＣＭＤに送信する。
コマンダＣＭＤは、通信部３８を介して無線通信の接続対象となる他の通信装置の全部又は一部であるレシーバＲＶの情報を取得する。コマンダＣＭＤは通信部３８を介して、例えば、無線通信の接続対象となるレシーバＲＶの発光量情報、属性情報、位置情報等の様々な情報を取得する。
属性情報とは、外部通信装置（レシーバＲＶ）を設定したグループ枠へ振り分けるために用いられる様々な情報をいう。属性情報としては、例えば型番、発光形式、動作モード、閃光時間、発光間隔、バウンス撮像の可否、使用可能温度、外形寸法、質量、消費電力等の様々な情報が挙げられる。
また種別情報とは、属性情報のうち外部通信装置（レシーバＲＶ）の機能に関する情報を指し、例えばメインライト機能、補助光機能、ワイドパネル機能、リモートレンズ機能等が挙げられる。
なお、レシーバＲＶへの発光要求信号は、カメラ装置１０からレシーバＲＶに直接送信することも可能である。また、上述したコマンダＣＭＤであるフラッシュ装置１とカメラ装置１０においても、コネクタ部３７を介した有線通信に代えて通信部３８を介した無線通信を行ってもよい。
【００６７】
電源部３９は、例えば内蔵したバッテリーの電圧、或いは商用交流電源に接続したＡＣアダプタにより変換されて入力される直流電圧を電源として、各部に必要な電源電圧を生成し、動作電圧として供給する。
【００６８】
測位部４０は、フラッシュ装置１自身の位置情報を取得し、フラッシュ制御部３０に送信する。測位部４０は、例えばＧＰＳ（Global Positioning System）からフラッシュ装置１のＧＰＳ位置情報などを取得する。ＧＰＳ位置情報を用いる場合、測位部４０は、例えば定期的に、ＧＰＳ受信器で受信した情報から現在位置としての緯度情報や経度情報を取得し、それをフラッシュ制御部３０に送信する。
フラッシュ装置１がレシーバＲＶの場合、フラッシュ制御部３０は、レシーバＲＶの位置情報を、通信部３８を介してコマンダＣＭＤに送信する。
なお、測位部４０は、後述する第４の実施の形態における、位置情報を用いたレシーバＲＶのグループ枠への振分けを行う際に用いられる機能である。従って、本技術において測位部４０は必ずしも必要な構成ではない。
【００６９】
＜５．カメラ装置の構成＞
カメラ装置１０の内部構成について、図５を参照して説明する。図５は、実施の形態のカメラ装置１０の機能構成を示すブロック図である。
カメラ装置１０は、撮像部５１、画像信号処理部５２、記録部５３、出力部５４、電源部５５、メモリ部５６、操作入力部５７、表示制御部５８、ファインダ１７、カメラ表示部１８、コネクタ部５９、通信部６０を有する。
【００７０】
撮像部５１は撮像素子を備え、撮像素子は、例えば、ＣＣＤ（Charge Coupled Device）型、ＣＭＯＳ（Complementary Metal Oxide Semiconductor）型などとして構成される。
撮像部５１では、受光した光を光電変換して得た電気信号について、例えばＣＤＳ(Correlated Double Sampling)処理、ＡＧＣ(Automatic Gain Control)処理などを実行し、さらにＡ／Ｄ(Analog/Digital)変換処理を行う。そしてデジタルデータとしての撮像信号を、後段の画像信号処理部５２に出力する。
【００７１】
画像信号処理部５２は、例えばＤＳＰ（Digital Signal Processor）等により画像処理プロセッサとして構成される。画像信号処理部５２は、撮像部５１からのデジタル信号（撮像画像信号）に対して、各種の信号処理を施す。例えば画像信号処理部５１は、前処理、同時化処理、ＹＣ生成処理、解像度変換処理、コーデック処理等を行う。
前処理では、撮像部５１からの撮像画像信号に対して、Ｒ，Ｇ，Ｂの黒レベルを所定のレベルにクランプするクランプ処理や、Ｒ，Ｇ，Ｂの色チャンネル間の補正処理等を行う。
同時化処理では、各画素についての画像データが、Ｒ，Ｇ，Ｂ全ての色成分を有するようにするデモザイク処理を施す。
ＹＣ生成処理では、Ｒ，Ｇ，Ｂの画像データから、輝度（Ｙ）信号および色（Ｃ）信号を生成（分離）する。
解像度変換処理では、各種の信号処理が施された画像データに対して、解像度変換処理を実行する。
コーデック処理では、解像度変換された画像データについて、例えば記録用や通信用の符号化処理を行う。
【００７２】
記録部５３は、例えば不揮発性メモリからなり、静止画データや動画データ等の画像ファイル（コンテンツファイル）や、画像ファイルの属性情報、サムネイル画像等を記憶する。
画像ファイルは、例えばＪＰＥＧ（Joint Photographic Experts Group）、ＴＩＦＦ（Tagged Image File Format）、ＧＩＦ（Graphics Interchange Format）等の形式で記憶される。
記録部５３の実際の形態は多様に考えられる。例えば記録部５３は、カメラ装置１０に内蔵されるフラッシュメモリでもよいし、カメラ装置１０に着脱できるメモリカード（例えば可搬型のフラッシュメモリ）と該メモリカードに対して記録再生アクセスを行うカード記録再生部による形態でもよい。またカメラ装置１０に内蔵されている形態としてＨＤＤ（Hard Disk Drive）などとして実現されることもある。
【００７３】
出力部５４は、外部機器との間のデータ通信やネットワーク通信を有線又は無線で行う。
例えば外部の表示装置、記録装置、再生装置等に対して撮像画像データ（静止画ファイルや動画ファイル）の送信出力を行う。
また出力部５４はネットワーク通信部であるとして、例えばインターネット、ホームネットワーク、ＬＡＮ（Local Area Network）等の各種のネットワークによる通信を行い、ネットワーク上のサーバ、端末等との間で各種データ送受信を行うようにしてもよい。
【００７４】
電源部５５は、例えば内蔵したバッテリーの電圧、或いは商用交流電源に接続したＡＣアダプタにより変換されて入力される直流電圧を電源として、各部に必要な電源電圧を生成し、動作電圧として供給する。
【００７５】
操作入力部５７は、図２に示す各種ボタン及びスイッチ等を備えて構成される。操作入力部５７に対するユーザの入力操作に応答して、カメラ制御部５０が各種動作を実現する。
表示制御部５８は、ファインダ１７及びカメラ表示部１８における表示動作を制御する。例えば表示制御部５８は、カメラ制御部５０の指示に基づいてカメラ表示部１８に各種表示を実行させる。表示制御部５８はカメラ表示部１８において、撮像して記録媒体（記憶部５３）に記録した静止画や動画を再生表示させたり、レリーズ（シャッタ操作）の待機中や動画撮像のスタンバイ中に撮像される各フレームの撮像画像データによる動画としてのスルー画（被写体モニタリング画像）を表示させる。また表示制御部５８は、各種操作メニュー、アイコン、メッセージ等、即ちＧＵＩとしての表示をカメラ表示部１８の画面上に実行させる。
【００７６】
コネクタ部５９は、フラッシュ装置１と当該フラッシュ装置１が装着されたカメラ装置１０との間の信号の送受信を行う。フラッシュ装置１とカメラ装置１０は、被固定部５と固定部１６を嵌め合わせることにより、コネクタ部５９とコネクタ部３７が係合される。  例えば、カメラ装置１０から発光要求信号が入力されると、当該発光要求信号はコネクタ部５９及びコネクタ部３７を介してフラッシュ制御部３０へと伝達される。
【００７７】
カメラ制御部５０はＣＰＵを備えたマイクロコンピュータ（演算処理装置）により構成される。
メモリ部５６は、カメラ制御部５０が処理に用いる情報等を記憶する部位としての、例えばＲＯＭ、ＲＡＭ、フラッシュメモリなど包括的に示している。メモリ部５６はカメラ制御部５０としてのマイクロコンピュータチップに内蔵されるメモリ領域であってもよいし、別体のメモリチップにより構成されてもよい。
カメラ制御部５０はメモリ部５６のＲＯＭやフラッシュメモリ等に記憶されたプログラムを実行することで、このカメラ装置１０全体を統括的に制御する。
例えばカメラ制御部５０は、撮像部５１のシャッタスピードの制御、画像信号処理部５２における各種信号処理の指示、ユーザの操作に応じた撮像動作や記録動作、記録した画像ファイルの再生動作、ズーム、フォーカス、露光調整等のカメラ動作、ユーザインターフェース動作等について、必要各部の動作を制御する。また本技術によるカメラ制御部１０は、後述する通信部６０を制御する通信制御部としても機能する。
【００７８】
メモリ部５６におけるＲＡＭは、ＣＰＵの各種データ処理の際の作業領域として、データやプログラム等の一時的な格納に用いられる。
メモリ部５６におけるＲＯＭやフラッシュメモリ（不揮発性メモリ）は、ＣＰＵが各部を制御するためのＯＳや、画像ファイル等のコンテンツファイルの他、各種動作のためのアプリケーションプログラムや、ファームウエア等の記憶に用いられる。
【００７９】
通信部６０は、フラッシュ装置１と無線通信を行う。コマンダＣＭＤとされた場合のカメラ装置１０におけるカメラ制御部５０は、通信部６０を介してレシーバＲＶとなるフラッシュ装置１の属性等の様々な情報を取得する。また、コマンダＣＭＤとしてのカメラ制御部５０は、発光要求信号を、通信部６０を介してレシーバＲＶに送信する。
【００８０】
＜６．第１の実施の形態＞
第１の実施の形態として、コマンダＣＭＤによる各レシーバＲＶのグループ枠への振分け処理について、図６及び図７を用いて説明する。
第１の実施の形態では、コマンダＣＭＤは、ユーザが入力したレシーバＲＶの台数情報に基づいてグループ枠を設定し、当該設定されたグループ枠にレシーバＲＶを振分けるものである。これによりユーザは、コマンダＣＭＤにグループ枠ごとに振分けたい台数を入力することで、自動的にグループ枠に振分けることができる。
【００８１】
第１の実施の形態では、カメラ装置１０に取り付けられたフラッシュ装置１をコマンダＣＭＤとし、他のフラッシュ装置１をレシーバＲＶとしている。なお、後述する第２の実施の形態から第４の実施の形態についても同様とする。
【００８２】
図６Ａでは一例として、グループ枠への振分けを行うレシーバＲＶが５台用意され、各レシーバＲＶには００１〜００５までの識別ＩＤが付されている（以下、例えばＩＤ００ＸのレシーバＲＶは、レシーバ００Ｘと表記する）。
【００８３】
まず、ユーザはコマンダＣＭＤの各種ボタンを操作することで、フラッシュ表示部７にグループ枠設定画面７０を表示させる。ユーザは、操作によりグループ枠ごとに必要なレシーバＲＶの台数を入力する。これにより、コマンダＣＭＤとしてのフラッシュ制御部３０がレシーバＲＶを振分けるためのグループ枠が設定される。
図６Ａでは一例として、２台のレシーバＲＶから構成されるグループＧＰ１と、１台のレシーバＲＶから構成されるグループＧＰ２とを、ユーザの入力操作によりグループ枠として設定している。
【００８４】
ユーザのコマンダＣＭＤへの入力操作によるグループ枠の設定が完了すると、コマンダＣＭＤにより、自動的にレシーバＲＶのグループ枠への振分けが行われる。当該グループ枠への振分けが完了すると、図６Ｂに示すように、コマンダＣＭＤのフラッシュ表示部７にレシーバＲＶの振分結果画面７１が表示される。
ここでは、グループＧＰ１にはレシーバＲＶ００１、００２の２台が振分けられ、グループＧＰ２にはレシーバＲＶ００３が１台振分けられている。また、グループ枠への振分けが行われなかった残りのレシーバＲＶ００４、００５については、振分結果画面７１においてグループ枠の設定がオフ（グループオフ）のレシーバＲＶとして表示される。
このように、設置予定のレシーバＲＶのそれぞれについてユーザが入力操作を行うことでグループ枠を設定することなしに、ユーザのコマンダＣＭＤへの入力操作によるグループ枠の設定を行うだけで自動的にレシーバＲＶをグループ枠に振分けることができる。
【００８５】
レシーバＲＶのグループ枠への振分け完了後、ユーザはグループ枠への振分けが行われたレシーバＲＶ００１〜００３のレシーバＲＶを任意の位置に設置する。ユーザはコマンダＣＭＤを操作することで、配置されたレシーバＲＶの動作をグループごとに制御する。
例えば、コマンダＣＭＤに取り付けられたカメラ装置１０で撮像を行う際に、グループＧＰ１のレシーバＲＶを発光させ、グループＧＰ２のレシーバＲＶを発光させなかったり、その逆も可能である。また、グループＧＰ１及びグループＧＰ２の両方について発光するか否かを指示することもできる。さらには、グループＧＰ１とグループＧＰ２のレシーバＲＶを順番に発光させることも可能である。
【００８６】
以上のような、レシーバＲＶのグループ枠への自動振分けを実現するために、コマンダＣＭＤとしてのフラッシュ制御部３０が行う処理について、図７を参照して説明する。
まず、当該振分け処理を行う前にフラッシュ制御部３０は、図７ＡのステップＳ１０１において、レシーバＲＶとのペアリング処理を行う。ペアリング処理とは、フラッシュ制御部３０とレシーバＲＶとの間で通信ＩＤやチャネル情報の送受信を行い、コマンダＣＭＤとレシーバＲＶを互いに対応付ける処理をいう。ペアリング処理をあらかじめ行うことで、コマンダＣＭＤがレシーバＲＶと通信を行う際に、他の外部通信装置と混線することを防止することができる。
フラッシュ制御部３０は、ペアリング処理によりレシーバＲＶから取得した通信ＩＤ等の情報をメモリ部３１等に記憶させる。当該記憶された情報は、ユーザの入力操作等を介したフラッシュ制御部３０による削除処理が行われるまで記憶された状態を維持し、電源がＯＦＦとなっても保持される。
例えば、コマンダＣＭＤとなったフラッシュ装置１は、図６ＡのようにレシーバＲＶ００１〜００５となる５台のフラッシュ装置１とペアリング処理を行う。
【００８７】
次に、レシーバＲＶのグループ枠への自動振分け処理について図７Ｂを用いて説明する。
ユーザの操作によりコマンダＣＭＤがワイヤレスリモートコントロールモードとされると、フラッシュ制御部３０は、ステップＳ２０１において、レシーバＲＶとのリンクアップ処理を行う。リンクアップ処理とは、コマンダＣＭＤとレシーバＲＶを通信可能な状態とする処理をいう。即ち、コマンダＣＭＤとレシーバＲＶを無線接続させる処理をいう。図６Ａに示す例では、コマンダＣＭＤと５台のレシーバＲＶが無線接続された状態となる。
当該リンクアップ処理により、フラッシュ制御部３０は、リンクアップ処理されたレシーバＲＶの数を把握する。即ち、フラッシュ制御部３０は、グループ枠に振分けることが可能なレシーバＲＶの数の情報を取得する。ここで、フラッシュ制御部３０は、リンクアップ状態である複数のレシーバＲＶをそれぞれ把握し、当該リンクアップ状態のレシーバＲＶをカウントすることによりグループ枠に振分可能なレシーバＲＶの台数を算出する。なお、フラッシュ制御部３０は、リンクアップ状態のレシーバＲＶの数情報をメモリ３１等に記憶させ、当該数情報を参照することによりレシーバＲＶの台数を把握することも可能である。
なお、コマンダＣＭＤとレシーバＲＶは、いずれかの電源がオフとなることでリンクアップ状態が解除される。従って、再度電源がオンとなった際には、フラッシュ制御部３０により再度リンクアップ処理が行われることになる。
【００８８】
またフラッシュ制御部３０は、ステップＳ２０２において、ユーザの操作により入力されたレシーバＲＶの振分け台数情報を取得し、当該台数情報に基づいてグループ枠を設定する。例えば、図６のグループ枠設定画面７０に、ユーザが振分けるレシーバＲＶの台数を入力することで、振分け台数が２台のグループＧＰ１と１台のグループＧＰ２が設定される。
【００８９】
グループ枠をそれぞれ設定した後、フラッシュ制御部３０は、ステップＳ２０３において、グループ枠に未だ振分けられていない未振分けレシーバＲＶの有無を判定する。
未振分けレシーバＲＶがある場合、フラッシュ制御部３０はステップＳ２０４に処理を進め、グループＧＰｘについてレシーバＲＶの振分けが完了したか否かを判定する。
グループＧＰｘのｘは自然数であり、ステップＳ２０２において設定したそれぞれのグループ枠を示している。また、当該グループ枠の最大値はグループＧＰｍａｘとされている。図６Ａに示す例では、グループ枠としてグループＧＰ１とグループＧＰ２が設けられているため、グループＧＰｍａｘ＝２となる。
ステップＳ２０４において、グループＧＰｘへの振分けが完了していない場合、フラッシュ制御部３０は、ステップＳ２０５において未振分けレシーバＲＶを選択し、ステップＳ２０６においてグループＧＰｘに振分ける。
その後、フラッシュ制御部３０は、ステップＳ２０３に処理を戻し、未振分けレシーバＲＶが存在し、かつグループＧＰｘへのレシーバＲＶの振分けが完了するまで、ステップＳ２０３〜Ｓ２０６の処理を繰り返す。これにより、グループ枠に必要なレシーバＲＶが全て振分けられ、グループＧＰｘが形成される。
【００９０】
フラッシュ制御部３０は、ステップＳ２０４において、グループＧＰｘについてレシーバＲＶの振分けが完了した場合、ステップＳ２０７に処理を進める。
フラッシュ制御部３０は、ステップＳ２０７において、グループＧＰｘがグループＧＰｍａｘである（ＧＰｘ＝ＧＰｍａｘ）か否かを判定する。即ち、フラッシュ制御部３０は、設定した全てのグループ枠へのレシーバＲＶの振分けが完了したか否かを判定する。
未だレシーバＲＶの振分けが完了していないグループ枠がある場合、フラッシュ制御部３０は、ステップＳ２０８において、ＧＰｘのｘに１を加算する（ｘ←ｘ＋１）。即ち、レシーバＲＶを振分ける対象を、次のグループ枠に変更する。
その後、フラッシュ制御部３０は、ステップＳ２０３に処理を戻し、未振分けレシーバＲＶが存在し、かつ変更したグループ枠へのレシーバＲＶの振分けが完了するまで、ステップＳ２０３〜Ｓ２０６の処理を繰り返す。
【００９１】
ステップＳ２０８においてＧＰｘ＝ＧＰｍａｘであった場合、フラッシュ制御部３０は、全てのグループ枠へのレシーバＲＶの振分けが完了したと判定し、ステップＳ２０９に処理を進める。
ステップＳ２０９において、フラッシュ制御部３０は、グループ枠に振分けられずに残った未振分けレシーバのグループオフ処理を行う。グループオフ処理とは、グループ枠への振分けが行われなかったレシーバＲＶを通信可能なリンクアップ状態を維持しながら待機させる処理をいう。フラッシュ制御部３０は、ユーザが入力により再度グループ枠を設定した際に、すぐに振分けが可能となるように、未振分けレシーバについてリンクアップ状態を維持させる。
フラッシュ制御部３０は、例えば、グループオフ処理を行ったレシーバＲＶを振分結果画面７１においてグループオフのレシーバＲＶとして表示させるようにする。
ステップＳ２０９の処理の後、フラッシュ制御部３０は、ステップＳ２０３に処理を戻す。
【００９２】
ステップＳ２０３において、未振分けのレシーバＲＶがないと判定した場合、フラッシュ制御部３０はステップＳ２１０に処理を進める。
フラッシュ制御部３０は、ステップＳ２１０において、レシーバＲＶの振分けが完了していないグループ枠があるか否かを判定する。
レシーバＲＶのグループ枠への振分が完了している場合は、フラッシュ制御部３０は、グループ枠への振分処理を終了する。これにより、例えば図６Ｂのように、グループ枠への振分けが完了する。
【００９３】
レシーバＲＶの振分けが完了していないグループ枠がある場合、フラッシュ制御部３０は、ステップＳ２１０においてその旨の通知処理を行う。例えば、フラッシュ制御部３０は、当該通知を図１Ｂのフラッシュフラッシュ表示部７に表示させることにより行う。通知処理の態様としては、単にエラー画面を表示させてもよいし、グループ枠への振分けが行われたレシーバＲＶの台数や足りないレシーバＲＶの台数を提示してもよい。
ユーザはフラッシュフラッシュ表示部７に表示された通知画面を確認することで、グループ枠ごとの台数の再設定や、レシーバＲＶの追加を行うことができる。
フラッシュ制御部３０は、ステップＳ２１０の通知処理行った後、グループ枠への振分処理を終了する。
なお、当該通知処理は必ずしも必要な処理ではなく、行わないものとしてもよい。また、レシーバＲＶのグループ枠への振分が完了した後であっても、レシーバＲＶごとの発光量や発光ユニット３の向き等の調整を行うことが可能である。
この場合、ユーザのフラッシュ装置１を介した入力操作により、フラッシュ制御部３０は、レシーバＲＶごとにこれらの指示を送信することで自動的に当該調整を行う。またユーザがレシーバＲＶを操作することで、手動により当該調整を行うこともできる。
【００９４】
＜７．第２の実施の形態＞
第２の実施の形態における、コマンダＣＭＤによる各レシーバＲＶのグループ枠への振分処理について、図８乃至図１２を用いて説明する。
第２の実施の形態は、ユーザが入力したレシーバＲＶの発光量比率情報に基づいてグループ枠を設定し、当該設定されたグループ枠にレシーバＲＶを振分けるものである。これによりユーザは、コマンダＣＭＤにグループ枠ごとの発光量比率を入力することで、設置予定のレシーバＲＶのそれぞれについてユーザが入力操作を行うことでグループ枠を設定することなしに、入力した発光量比率が反映されるように、自動的にレシーバＲＶをグループ枠に振分けることができる。
【００９５】
図８Ａは、ユーザのグループ枠の設定についての説明図であり、図８Ｂは、レシーバＲＶのグループ枠への振分けが完了した状態の説明図である。
本実施の形態では、第１の実施の形態と同様に、コマンダＣＭＤと５台のレシーバＲＶが用意されている。各レシーバＲＶには００１〜００５までの識別ＩＤが付され、レシーバ００１は発光量１０、レシーバ００２は発光量２０、レシーバ００３は発光量３０、レシーバ００４は発光量４０、レシーバ００５は発光量５０とされている。
【００９６】
まず、ユーザは第１の実施の形態と同様に、フラッシュフラッシュ表示部７にグループ枠設定画面７０を表示させる。ユーザは各種ボタンを操作することで、複数のグループ枠を設定し、グループ枠ごとの発光量比率を入力する。本実施の形態においては、ユーザは、グループＧＰ１及びグループＧＰ２を設定し、グループＧＰ１とグループＧＰ２の発光量比率を１：３に設定する。
【００９７】
ユーザのコマンダＣＭＤでの設定が完了すると、コマンダＣＭＤにより、設定した発光量比率が反映されるように、自動的にレシーバＲＶのグループ枠への振分けが行われる。グループ枠への振分けが完了すると、図８Ｂに示すように、コマンダＣＭＤのフラッシュフラッシュ表示部７にレシーバＲＶの振分結果画面７１が表示される。振分結果画面７１には、グループ枠ごとに、振分けたレシーバＲＶのＩＤや当該振分けられたレシーバＲＶの発光量の合計が表示される。
【００９８】
グループ枠への振分けの完了後、ユーザはグループ枠の振分けが行われたグループＧＰ１とグループＧＰ２のレシーバＲＶを任意の位置に設置する。ユーザはコマンダＣＭＤを操作することで、配置されたレシーバＲＶの動作をグループごとに発光させることができる。これによりユーザの希望する任意の発光量比率で被写体を撮像することが可能となる。
【００９９】
以上のような、レシーバＲＶのグループ枠への自動振分けを実現するために、コマンダＣＭＤとしてのフラッシュ制御部３０が行うグループ枠への振分処理の第１例について図９を参照して説明する。なお、第１の実施の形態と同様の処理については同一の符号を付し、説明を省略する。
コマンダＣＭＤであるフラッシュ制御部３０は、当該グループ枠への振分処理にあたり、図７ＡのステップＳ１０１に示すように、レシーバＲＶとのペアリング処理を行う。
【０１００】
フラッシュ制御部３０は、ステップＳ２０１においてリンクアップ処理を行い、ステップＳ３０１において、レシーバＲＶから発光量情報を取得する。フラッシュ制御部３０は、図１０に示すような機種情報ごとの発光量情報を無線通信により取得し、それぞれをレシーバＩＤに紐付けて管理する。フラッシュ制御部３０は、レシーバＲＶの発光量情報を、通信部３８を介して取得する。
次に、フラッシュ制御部３０は、ステップＳ３０２において、ユーザの入力した発光量比率の情報を取得し、発光量比率に応じたグループ枠を設定する。本実施の形態では、フラッシュ制御部３０は、ユーザにより入力された発光量比率「１：３」に基づいて、比率が「１」のグループＧＰ１及び比率が「３」のグループＧＰ２を設定する。
【０１０１】
フラッシュ制御部３０は、ステップＳ３０３において、取得した全てのレシーバＲＶの発光量情報から、全てのレシーバＲＶの発光量の合計を算出する。図８Ａに示す例では、フラッシュ制御部３０は、レシーバ００１〜００５の発光量の合計値を算出する。ここで、発光量の合計値は１５０（＝１０＋２０＋３０＋４０＋５０）である。
フラッシュ制御部３０は、ステップＳ３０４において、全てのグループ枠の発光量比率の合計値を算出する。本実施の形態では、グループＧＰ１の発光量比率の値「１」とグループＧＰ２の発光量比率の値「３」の合計値である「４」を算出する。
ステップＳ３０３及びステップＳ３０４の処理は、後述するステップＳ３０５での必要発光残量の算出に用いられる。
【０１０２】
フラッシュ制御部３０は、ステップＳ３０５において、必要発光残量の算出を行う。必要発光残量とは、グループ枠ごとに振分けるべき発光量の値をいう。
必要発光残量は、（全グループ枠の発光量の値の合計／全グループ枠の発光量比率の値の合計）×（各グループ枠の発光量比率の値）により求められる。ここでは、端数は四捨五入されるものとする。
図８Ａに示す例では、上記計算式により、グループＧＰ１の必要発光残量の値は４０とされ、グループＧＰ２の必要発光残量の値は１１０とされる。
【０１０３】
必要発光残量は、レシーバＲＶが振分けられる処理に応じて、後述するステップＳ３０６において、その振分けたレシーバＲＶの発光量の分の値が減算される。各グループ枠には必要発光残量が設定され、フラッシュ制御部３０は、各グループ枠の必要発光残量に基づいてレシーバＲＶを振分ける。
【０１０４】
続いてフラッシュ制御部３０は、ステップＳ３０６において、リンクアップ処理がされたレシーバＲＶの全てがそれぞれのグループ枠に振分けられたか否かを判定する。
未だグループ枠に振分けられていないレシーバＲＶが存在する場合、フラッシュ制御部３０は、ステップＳ３０７に処理を進める。
【０１０５】
フラッシュ制御部３０は、ステップＳ３０７において、未振分けのレシーバＲＶのうち最大発光量のレシーバＲＶを選択する。そしてフラッシュ制御部３０は、ステップＳ３０８において必要発光残量が最大のグループ枠を選択し、ステップＳ３０９において、最大発光量のレシーバＲＶを振分ける。
図８Ｂに示す例では、例えば最初のグループ枠への振分けにおいては、最も発光量の大きいレシーバ００５（発光量値５０）が選択され、最も必要発光残量の大きいグループＧＰ２（必要発光残量１１０）に振分けられる。
【０１０６】
フラッシュ制御部３０は、ステップＳ３１０において、レシーバＲＶを振分けたグループ枠の必要発光残量の更新を行う。必要発光残量の更新は、レシーバＲＶを振分けたグループ枠の必要発光残量から、振分けたレシーバＲＶの発光量の値を減算することにより行われる。
本実施の形態では、例えばレシーバ００５（発光量値５０）が振分けられたグループＧＰ２の必要発光残量は、「１１０」から「６０」に更新される。
【０１０７】
フラッシュ制御部３０は、ステップＳ３０６〜Ｓ３１０の処理を、例えばレシーバＲＶの全てがそれぞれのグループ枠に振分けられるまで繰り返して行う。
全てのレシーバＲＶについてグループ枠への振分けが完了すると、フラッシュ制御部３０は、ステップＳ３１１に処理を進め、レシーバＲＶを振分けた後のグループ枠ごとの発光量比率の値と、ユーザの入力したグループ枠ごとの発光量比率の値とを比較して、その差が許容範囲内であるか否かを判定する。
許容範囲内であるか否かは、例えば、ユーザが入力したグループ枠ごとの発光量比率のうちの１つを基準として、他のグループ枠の発光量比率との差を用いることが考えられる。図８Ａに示す例では、グループＧ１の発光量比率「１」を基準とし、グループＧ２の発光量比率をグループＧ１の発光量比率の２．５倍から３．５倍までを許容範囲内とすることができる。このような場合は、グループＧ１とグループＧ２との発光量比率が「１：２．５〜１：３．５」の範囲内を許容範囲内とする。
【０１０８】
レシーバＲＶを振分けた後のグループ枠ごとの発光量比率の値と、ユーザの入力したグループ枠ごとの発光量比率の値との差が許容範囲を超えるものと判定された場合、フラッシュ制御部３０は、ステップＳ３１２においてその旨の通知処理を行う。例えば、フラッシュ制御部３０は、当該通知を図８Ｂのフラッシュ表示部７に表示させることにより行う。通知処理の態様としては、単にエラー画面を表示させてもよいし、グループ枠ごとの合計発光量の値やグループ枠ごとに足りない発光量の値を提示してもよい。
ユーザはフラッシュ表示部７に表示された通知画面を確認することで、グループ枠ごとの発光量比率の値の再設定や、レシーバＲＶの追加を行うことができる。
【０１０９】
フラッシュ制御部３０は、ステップＳ３１２の通知処理行った後、グループ枠への振分処理を終了する。
また、フラッシュ制御部３０は、ステップＳ３１１において、振分け後のグループ枠ごとの発光量比率が、入力した発光量比率の値と比較して許容範囲内である場合は、グループ枠への振分処理を終了する。
なお、図９に示す例では、全てのレシーバＲＶをそれぞれのグループ枠に振分けることとしたが、フラッシュ制御部３０は、発光量比率が許容範囲内となるように一部のレシーバＲＶについてグループオフ処理を行ってもよい。また、全てのレシーバＲＶをそれぞれのグループ枠に振分けた後に、発光量比率が許容範囲内となるように、振分けたレシーバＲＶの一部についてグループオフ処理を行うことも可能である。
【０１１０】
以下、第２の実施の形態におけるグループ枠への振分け処理の第２例について、図１１を参照して説明する。なお、図９に示す第１例と共通する処理については同一の符号を付し、説明を省略する。
第２例は、フラッシュ制御部３０が、ステップＳ３１０において、レシーバＲＶを振分けたグループ枠の必要発光残量の更新を行った後に、ステップＳ３１３において、グループ枠の再設定が必要か否かを判定する処理を行う。
グループ枠の再設定が必要な場合としては、例えばグループ枠への振分けの際に新たにレシーバＲＶが追加された場合や、オフにしていたレシーバＲＶの電源をオンにした場合等が挙げられる。
【０１１１】
フラッシュ制御部３０は、ステップＳ３１３において、新たなレシーバＲＶの追加等によりグループ枠の再設定が必要と判定した場合は、最初にリンクアップ処理をしたレシーバＲＶのグループ枠への振分けを全てリセットし、ステップＳ２０１に処理を進める。フラッシュ制御部３０は、ステップＳ２０１において、新たに追加したものを含む全てのレシーバＲＶについてリンクアップ処理を行い、以下第１例と同様の処理を行う。
ステップＳ３１３において、新たなレシーバＲＶの追加が無い場合、フラッシュ制御部３０は、ステップＳ３０６に処理を進め、以下第１例と同様の処理を行う。
【０１１２】
第２例のような構成を有することで、レシーバＲＶのグループ枠への振分け処理中に、新たにレシーバＲＶが追加された場合であっても、新たなレシーバＲＶを加えた状態でのグループ枠ごとの必要発光残量を再度算出することができる。
【０１１３】
以下第２の実施の形態におけるグループ枠への振分け処理の第３例について、図１２を用いて説明する。なお、図９に示す第１例及び図１１に示す第２例と共通する処理については同一の符号を付し、説明を省略する。
第３例では、ステップＳ３１３において、新たなレシーバＲＶの追加によりグループ枠の再設定が必要と判定した場合、フラッシュ制御部３０は、ステップＳ３１４に処理を進める。
フラッシュ制御部３０は、ステップＳ３１４において、追加されたレシーバＲＶについてリンクアップ処理を行い、当該レシーバＲＶごとの発光量情報を無線通信により取得する。
また、フラッシュ制御部３０は、ステップＳ３１５において、新たなレシーバＲＶを追加した状態における必要発光残量の再算出を行う。必要発光残量の再算出にあたり、フラッシュ制御部３０は、取得した全てのレシーバＲＶの発光量情報から、全てのレシーバＲＶの発光量の合計を再度算出し、全てのグループ枠の発光量比率の合計値を再度算出する。
【０１１４】
フラッシュ制御部３０は、ステップＳ３１６において、現状の必要発光残量を算出する。フラッシュ制御部３０は、ステップＳ３１５で算出したグループ枠ごとの必要発光残量から、現在までに振分けが完了しているレシーバＲＶの発光量の値を減算する。
その後、フラッシュ制御部３０は、ステップＳ３０７に処理を進め、以下同様の処理を行う。
【０１１５】
第３例のような構成を有することで、グループ枠への振分け処理中に新しいレシーバＲＶが追加されたとしても、これまでのレシーバＲＶのグループ枠への振分け処理を無駄にすることなく、当該振分け処理を進めることができる。
【０１１６】
＜８．第３の実施の形態＞
第３の実施の形態における、レシーバＲＶのグループ枠への振分けについて、図１３乃至図１７を用いて説明する。
図１３に示す例では、ユーザが入力したレシーバＲＶの機能の属性情報に基づいてグループ枠を設定し、当該設定されたグループ枠に当該機能を有するレシーバＲＶを振分けるものである。これによりユーザは、コマンダＣＭＤにグループ枠ごとの機能の属性情報を入力することで、設置予定のレシーバＲＶのそれぞれについてユーザが入力操作を行うことでグループ枠を設定することなしに、レシーバＲＶの用途に応じて自動的にレシーバＲＶをグループ枠に振分けることができる。
【０１１７】
図１３Ａは、ユーザのグループ枠の設定についての説明図であり、図１３Ｂは、レシーバＲＶのグループ枠への振分けが完了した状態の説明図である。
第３の実施の形態では、第１の実施の形態と同様に、コマンダＣＭＤと５台の識別ＩＤの付されたレシーバＲＶが用意されている。５台のレシーバＲＶはそれぞれ性能が異なっており、様々な機能を有している。
【０１１８】
まず、ユーザは第１の実施の形態と同様に、フラッシュ表示部７にグループ枠設定画面７０を表示させる。ユーザは各種ボタンを操作することで、複数のグループ枠を設定し、グループ枠ごとの用途を入力する。図１３Ａに示す例では、ユーザは、グループ枠設定画面７０においてグループＧＰ１からグループＧＰ３の３グループ枠を設定し、グループＧＰ１については用途を「メインライト」とし、グループＧＰ２については「補助光」、グループＧＰ３については「ワイドパネル付」と設定する。
なお、グループ毎に指定できる用途は一つに限られることはなく、２以上の用途を設定することも可能である。例えば、グループＧＰ１の用途を「メインライト及びワイドパネル付」と設定することとしてもよい。
【０１１９】
ユーザのコマンダＣＭＤでの設定が完了すると、コマンダＣＭＤにより、自動的にレシーバＲＶの性能に応じたグループ枠への振分けが行われる。グループ枠への振分けが完了すると、図１３Ｂに示すように、コマンダＣＭＤのフラッシュ表示部７にレシーバＲＶの振分結果画面７１が表示される。振分結果画面７１には、グループ枠ごとに、振分けたレシーバＲＶのＩＤが表示される。
【０１２０】
グループ枠への振分けの完了後、ユーザはグループ枠への振分けが行われたグループごとに、レシーバＲＶを設置する。ユーザはコマンダＣＭＤを操作することで、配置されたレシーバＲＶをグループごとに動作させることができる。
【０１２１】
以上のような、レシーバＲＶのグループ枠への自動振分けを実現するために、コマンダＣＭＤとしてのフラッシュ制御部３０が行うグループ枠への振分処理の第１例について図１４及び図１５を参照して説明する。なお、図９の第１の実施の形態と同様の処理については同一の符号を付し、説明を省略する。また以下に説明するグループ枠への振分処理については、図７ＡのステップＳ１０１のペアリング処理は行われているものとする。
【０１２２】
フラッシュ制御部３０は、図１４のステップＳ２０１においてリンクアップ処理を行い、ステップＳ４０１において、レシーバＲＶから属性情報を取得する。フラッシュ制御部３０は、レシーバＲＶごとに属性情報を無線通信により取得することで、図１５に示すようなレシーバＲＶごとの属性を把握する。
属性情報には、図１５に示すようなメインライト機能、補助光機能、ワイドパネル機能、リモートレンズ機能やの様々なレシーバＲＶごとの種別情報が含まれている。なお、図１５における○は各機器が有している機能を示している。
【０１２３】
フラッシュ制御部３０は、ステップＳ４０２において、ユーザの入力したレシーバＲＶの機能の情報を取得し、機能別にグループ枠を設定する。図１３Ａでは一例として、メインライト機能をグループＧＰ１、補助光機能をグループＧＰ２、ワイドパネル機能をグループＧＰ３として設定する。
【０１２４】
フラッシュ制御部３０は、ステップＳ４０３において、第１レシーバ振分処理を行う。
第１レシーバ振分処理では、レシーバＲＶが未振分けのグループ枠の属性を持ち、かつグループ枠に未振分けのレシーバＲＶが１台である場合、当該未振分けのレシーバＲＶを当該グループ枠に優先的に振分ける。
あるグループ枠の属性を有するレシーバＲＶが１台しかない場合、このレシーバＲＶを他のグループ枠に振分けてしまうと、全てのグループ枠について適切にレシーバＲＶを振分けることができなくなってしまうためである。
図１４に示す例では、「メインライト」機能を有するレシーバＲＶはＩＤ００３の１台のみである。そこで、ＩＤ００３が「ワイドパネル」機能に基づいてグループＧＰ３に振分けられないように、優先的に「メインライト」機能に基づいてグループＧＰ１に振分ける。
【０１２５】
フラッシュ制御部３０は、ステップＳ４０４において、リンクアップ処理がされたレシーバＲＶの全てがそれぞれのグループ枠に振分けられたか否かを判定する。
未だグループ枠に振分けられていないレシーバＲＶが存在する場合、フラッシュ制御部３０は、ステップＳ４０５に処理を進め、レシーバＲＶについて新たにグループ枠への振分けが更新されたか否かを判定する。
レシーバＲＶについて新たにグループ枠への振分けが更新された場合、フラッシュ制御部３０はステップＳ４０３に戻り同様の処理を繰り返す。これにより、条件を満たすレシーバＲＶが１台しかないグループ枠への当該条件を満たすレシーバＲＶの振分けが完了する。
【０１２６】
ステップＳ４０５でレシーバＲＶについて新たにグループ枠への振分けが更新されなかった場合、条件を満たす１台しかないレシーバＲＶのグループ枠への振分けが完了したものと考えられる。そこでフラッシュ制御部３０は、ステップＳ４０６に処理を進め、レシーバＲＶが未振分けのグループ枠に必要な属性を有するレシーバＲＶがあるか否かを判定する。
【０１２７】
ステップＳ４０６において、レシーバＲＶが未振分けのグループ枠に必要な属性を有するレシーバＲＶがあると判定された場合、フラッシュ制御部３０は、ステップＳ４０７において、第２レシーバ振分処理を行う。
第２レシーバ振分処理では、フラッシュ制御部３０は、未振分けのグループ枠に必要な属性を有するレシーバＲＶを振分ける。
第２レシーバ振分処理が完了すると、フラッシュ制御部３０は、ステップＳ４０３に戻り、同様の処理を繰り返す。これにより、全てのグループ枠のそれぞれに少なくとも１台のレシーバＲＶが振分けられたこととなる。
【０１２８】
ステップＳ４０６においてレシーバＲＶが未振分けのグループ枠がないと判定された場合、フラッシュ制御部３０は、ステップＳ４０８において、グループ枠の何れかに必要な属性を備えるレシーバＲＶがあるか否かを判定する。
グループ枠の何れかに必要な属性を備えるレシーバＲＶがある場合、フラッシュ制御部３０は、ステップＳ４０９に処理を進め、第３レシーバ振分処理を行う。第３レシーバ振分処理では、当該レシーバＲＶをその属性により設定されたグループ枠に振分ける。
その後、フラッシュ制御部３０は、ステップＳ４０４に処理を進め、グループ枠の条件を満たすレシーバＲＶが全てグループ枠に振分けられるまで同様の処理を行う。これにより、設定したグループ枠に振分けるべきレシーバＲＶが、全てグループ枠に振分けられた状態となる。
【０１２９】
グループ枠の条件を満たすレシーバＲＶが全てグループ枠に振分けられると、フラッシュ制御部３０は、ステップＳ４０８からステップＳ４１０に処理を進め、残りのレシーバＲＶについて、図９のステップＳ２０９と同様のグループオフ処理を行う。
図１３Ｂに示す例では、グループ枠への振分けが完了した後に残ったＩＤ００５のレシーバＲＶがグループオフとして振分結果画面７１に表示されている。
【０１３０】
ステップＳ４０５において、未振分けのレシーバＲＶがないと判定した場合、フラッシュ制御部３０はステップＳ４１１に処理を進める。
フラッシュ制御部３０は、ステップＳ４１１において、レシーバＲＶの振分けが完了していないグループ枠があるか否かを判定する。
レシーバＲＶのグループ枠への振分けが完了している場合は、フラッシュ制御部３０は、グループ枠への振分処理を終了する。これにより、例えば図１３Ｂのように、グループ枠への振分けが完了する。
【０１３１】
レシーバＲＶの振分けが完了していないグループ枠がある場合、フラッシュ制御部３０は、ステップＳ４１２においてその旨の通知処理を行う。例えば、フラッシュ制御部３０は、当該通知を図１３Ｂのフラッシュ表示部７に表示させることにより行う。通知処理の態様としては、第１の実施の形態と同様に様々な態様が考えられる。
ユーザはフラッシュ表示部７に表示された通知画面を確認することで、グループ枠ごとの台数の再設定や、レシーバＲＶの追加を行うことができる。
フラッシュ制御部３０は、ステップＳ４１２の通知処理行った後、グループ枠への振分処理を終了する。
【０１３２】
以下、第３の実施の形態におけるグループ枠への振分け処理の第２例について、図１６を参照して説明する。図１４に示す第１例と共通する処理については同一の符号を付し、説明を省略する。
第２例では、フラッシュ制御部３０が、ステップＳ４０３の後に、ステップＳ４１３において、グループ枠の再設定が必要か否かを判定する処理を行う。グループ枠の再設定が必要な場合とは、グループ枠への振分けの際に新たにレシーバＲＶが追加された場合をいう。
【０１３３】
フラッシュ制御部３０は、ステップＳ４１３において、新たなレシーバＲＶの追加によりグループ枠の再設定が必要と判定した場合は、最初にリンクアップ処理をしたレシーバＲＶのグループ枠への振分けを全てリセットし、ステップＳ２０１に処理を進める。フラッシュ制御部３０は、ステップＳ２０１において、新たに追加したものを含む全てのレシーバＲＶについてリンクアップ処理を行い、以下第１例と同様の処理を行う。
ステップＳ４１４において、新たなレシーバＲＶの追加がない場合、フラッシュ制御部３０は、ステップＳ４０５に処理を進め、以下第１例と同様の処理を行う。
【０１３４】
第２例のような構成を有することで、レシーバＲＶのグループ枠への振分け処理中に、新たにレシーバＲＶが追加された場合であっても、新たなレシーバＲＶを加えた状態でのグループ枠ごとの必要発光残量を再度算出することができる。
【０１３５】
以下第３の実施の形態におけるグループ枠への振分け処理の第３例について、図１７を用いて説明する。なお、図１４に示す第１例及び図１６に示す第２例と共通する処理については同一の符号を付し、説明を省略する。
本例では、ステップＳ４１３において、新たなレシーバＲＶの追加によりグループ枠の再設定が必要と判定した場合、フラッシュ制御部３０は、ステップＳ４１４に処理を進める。
フラッシュ制御部３０は、ステップＳ４１４において、追加されたレシーバＲＶについてリンクアップ処理を行い、当該レシーバＲＶごとの属性情報を無線通信により取得する。
その後、フラッシュ制御部３０は、ステップＳ４０４に処理を進め、以下第１例及び第２例と同様の処理を行う。
【０１３６】
第３例のような構成を有することで、グループ枠への振分け処理中に新しいレシーバＲＶが追加されたとしても、これまでのレシーバＲＶのグループ枠への振分け処理を無駄にすることなく、当該振分け処理を進めることができる。
【０１３７】
＜９．第４の実施の形態＞
第４の実施の形態として、レシーバＲＶのグループ枠への振分処理における第４の実施の形態について、図１８及び図１９を参照して説明する。
第４の実施の形態は、あらかじめユーザがレシーバＲＶを様々な場所に設置した状態において、ある一定の領域に位置するレシーバＲＶを１つのグループとして設定するものである。当該グループ設定は、コマンダＣＭＤ側の操作により自動的に行われる。従ってユーザは、ある領域内に配置されているレシーバＲＶについて、わざわざ足を運んで操作することなくグループ分けを行うことができる。
【０１３８】
図１８Ａに示す例では、第１の実施の形態と同様に、コマンダＣＭＤと５台の識別ＩＤの付されたレシーバＲＶが用意されている。ユーザは、図１８Ａに示すように、５台のレシーバＲＶを設置した状態でコマンダＣＭＤを操作し、例えば、互いの距離が１ｍ以内に位置するレシーバＲＶをグループ枠として設定するといった条件を入力する。
ユーザのコマンダＣＭＤへの入力操作によりグループ枠の設定が完了すると、図１８Ｂに示すように、コマンダＣＭＤは、自動的に互いの距離が１ｍ以内であるレシーバＲＶをそれぞれグループとして設定する。なお、自機の周囲１ｍ以内に他のレシーバＲＶが存在しない場合、コマンダＣＭＤは当該自機を１台のグループとして設定する。
【０１３９】
以上のような、レシーバＲＶのグループ枠への自動振分け処理を実現するために、コマンダＣＭＤとしてのフラッシュ制御部３０が行うグループ枠への振分処理について図１９を参照して説明する。なお、第１の実施の形態と同様の処理については同一の符号を付し、説明を省略する。
【０１４０】
フラッシュ制御部３０は、ステップＳ２０１においてリンクアップ処理を行い、ステップＳ５０１において、それぞれのレシーバＲＶから位置情報を取得する。例えば、レシーバＲＶのフラッシュ制御部３０は、当該位置情報をＧＰＳから通信部３８を介して取得し、通信部３８を介してコマンダＣＭＤに送信する。
次にフラッシュ制御部３０は、ステップＳ５０２において、ユーザの入力により設定された距離の情報である設定距離情報を取得する。設定距離情報は、グループを形成するレシーバＲＶ同士の距離を示すものである。図１８Ａでは一例として、グループ枠としてのレシーバＲＶ同士の距離を１ｍと設定している。
【０１４１】
フラッシュ制御部３０は、ステップＳ５０３において、リンクアップ処理がされたレシーバＲＶの全てがそれぞれのグループ枠に振分けられたか否かを判定する。
未だグループ枠に振分けられていないレシーバＲＶが存在する場合、フラッシュ制御部３０は、ステップＳ５０４に処理を進める。
フラッシュ制御部３０は、ステップＳ５０４において、グループ設定のされていないレシーバＲＶを選択し、ステップＳ５０５において、選択されたレシーバＲＶを含むグループ枠を設定する。
【０１４２】
フラッシュ制御部３０は、ステップＳ５０６において、グループ枠に振分けられたレシーバＲＶから設定距離の範囲内に他のレシーバＲＶがある場合は、ステップＳ５０７において、当該他のレシーバＲＶをグループ枠に追加する。
図１８Ｂに示す例では、まずレシーバＲＶ００１を含むグループ枠を設定し、レシーバＲＶ００１から１ｍ以内に位置するレシーバＲＶ００２、００３が、レシーバＲＶ００１を含むグループ枠に振分けられる。
フラッシュ制御部３０は、ステップＳ５０６、Ｓ５０７の処理を繰り返し、設定距離の範囲内のレシーバＲＶについてグループ枠への振分けを行い、当該振分けが完了したら、ステップＳ５０６からステップＳ５０３に処理を進める。
【０１４３】
フラッシュ制御部３０は、ステップＳ５０３〜Ｓ５０７の処理を、レシーバＲＶの全てがそれぞれのグループ枠に振分けられるまで繰り返して行う。
全てのレシーバＲＶについてグループ枠への振分けが完了すると、フラッシュ制御部３０はグループ枠への振分処理を終了する。
【０１４４】
＜１０．まとめ及び変形例＞
以上の実施の形態では以下のような効果が得られる。
実施の形態の通信装置は、複数のレシーバＲＶ（外部通信装置）と通信する通信部３８と、通信部３８を介して得た複数のレシーバＲＶ（外部通信装置）の情報に基づいて、複数のレシーバＲＶ（外部通信装置）を１又は複数のグループ枠のいずれかに振り分ける振分部３０ｂと、を備える。
またレシーバＲＶ（外部通信装置）の振分け先とする１又は複数のグループ枠の振分種別を設定する設定部３０ａを更に備える。
さらに設定部３０ａは、通信部３８を介して得たレシーバＲＶ（外部通信装置）の情報に基づいて前記１又は複数のグループ枠の振分種別を設定する。
このように通信装置は、レシーバＲＶごとにグループ枠の設定を行うことなしに、コマンダＣＭＤ側の設定に応じてレシーバＲＶをグループ枠に自動的に振分けることができる。コマンダＣＭＤは、グループ枠に振分けられたレシーバＲＶについて、グループごとに無線通信を行うことができる。
従って、ユーザが複数の通信装置を用いて通信を行う際に、レシーバＲＶのグループ枠を設定する操作が簡略化される。例えば、レシーバＲＶが１０台ある場合、レシーバＲＶ１０台に対してそれぞれのグループ枠に振分ける際にユーザの操作が必要だったものを、ユーザはコマンダＣＭＤを操作するだけで、レシーバＲＶ１０台分のグループ枠の設定をすることが可能になる。このようにレシーバＲＶごとにグループ枠の設定を行うことが不要になることで、レシーバＲＶについてグループ枠の設定をするユーザの操作時間を大幅に短縮することができる。従って、ユーザの操作性の向上、利便性の向上、作業の効率の向上等を図ることができる。
【０１４５】
また設定部３０ａは、ユーザの入力情報（例えば図６Ａ）に基づいて１又は複数のグループ枠の振分種別を設定する。
ユーザは、レシーバＲＶをグループ枠に振分ける際にコマンダＣＭＤを操作することで、グループ枠を振分けるための情報を直接入力することができる。
従ってユーザは、コマンダＣＭＤとなるフラッシュ装置１にグループ枠の設定ための条件を直接入力することで、レシーバＲＶを自らの希望する条件を反映させたグループ枠へ振分けることができる。
【０１４６】
また振分部３０ｂは、通信部３８と接続するレシーバＲＶ（外部通信装置）の数の情報を用いてレシーバＲＶ（外部通信装置）のグループ枠への振分けを行う（図７）。
これにより、レシーバＲＶの台数情報に応じたグループ枠への振分けが自動的に行われる。
従って、ユーザは複数あるレシーバＲＶ（フラッシュ装置１）のそれぞれについてグループ枠の設定をすることが不要になるため、ユーザの入力操作時間を短縮することができ、利便性を向上させることができる。また、レシーバＲＶが数多くある場合、ユーザがどのレシーバＲＶをどのグループ枠に振分けたかをわからなくなってしまう場合も多々見受けられるが、本技術においてはコマンダＣＭＤでグループ枠ごとの台数をあらかじめ設定できるため、ユーザによるグループごとの台数の設定のミスを防止することができる。
【０１４７】
また振分部３０ｂは、通信部３８を介して得たレシーバＲＶ（外部通信装置）の発光量情報を用いてレシーバＲＶ（外部通信装置）のグループ枠への振分けを行う。
これにより、レシーバＲＶの有する発光量情報に応じたグループ枠への振分けが自動的に行われる。
従って、ユーザがレシーバＲＶを設置後に、試験的に改めてレシーバＲＶを発光させて、発光量を確認してからグループ枠ごとのレシーバＲＶの台数割り振りを調整変更するという手間を省くことができる。すなわち、ユーザはコマンダＣＭＤとしてのフラッシュ装置１等にグループ枠ごとに希望する発光量を入力するだけで簡単にレシーバＲＶをそれぞれのグループ枠に振分けることができ、ユーザの利便性をより一層向上させることができる。
【０１４８】
また設定部３０ａは、ユーザにより入力された発光量比率の情報に基づいて、各グループ枠の発光量比率を設定し、振分部３０ｂは、各グループ枠の発光量比率と通信部３８を介して得たレシーバＲＶ（外部通信装置）の発光量情報を用いて、レシーバＲＶ（外部通信装置）のグループ枠への振分けを行う（図１２）。
これにより、レシーバＲＶを振分けるためのグループ枠がユーザにより入力された発光量比率の情報に基づいて設定され、当該入力された発光量比率に近づくようにレシーバＲＶがグループ枠に自動的に振分けられる。
従って、コマンダＣＭＤとしてのフラッシュ装置１でグループ枠の設定を行うだけで、ユーザの希望する発光量比率となるように、自動的にレシーバＲＶを振分けることができる。ユーザが実際にレシーバＲＶを配置して発光させながらグループ枠への振分けを調整変更するといった手間を省くことができるため、ユーザの利便性の向上を図ることができる。
【０１４９】
また振分部３０ｂは、複数のレシーバＲＶ（外部通信装置）のうち発光量の大きいものから順番にグループ枠への振分けを行う（図１２のステップＳ３０７）。
各グループ枠の発光量比率に与える影響の大きいレシーバＲＶから順にグループ枠への振分けが行われる。
これにより、レシーバＲＶのグループ枠への振分けを行ったときに、グループ枠ごとの発光量比率と、ユーザの入力により設定したグループ枠ごとの発光量比率との乖離を抑えることができる。
【０１５０】
また設定された各グループ枠の発光量比率と、振分けられた各グループ枠のレシーバＲＶ（外部通信装置）の発光量比率との比較結果に応じて、ユーザに対して通知するための処理を行う通知部３０ｃを備える（図１２のステップＳ３１２）。
各グループ枠にレシーバＲＶを振分けた際に、振分けられた各グループ枠のレシーバＲＶの発光量比率と設定された各グループ枠の発光量比率との乖離が許容範囲を超えることがある。そういった場合にその旨をユーザに通知する処理を行う。
従って、ユーザは、レシーバＲＶを追加する必要があるか、グループ枠の設定の条件を変更する必要があるかを通知により容易に確認することができる。
【０１５１】
また振分部３０ｂは、通信部３８を介して得たレシーバＲＶ（外部通信装置）の属性情報を用いて、グループ枠に振分けられた複数のレシーバＲＶ（外部通信装置）が共通の属性を有するように、レシーバＲＶ（外部通信装置）のグループ枠への振分けを行う（図１５）。
これにより、グループ枠の目的に必要な属性を有するレシーバＲＶについて、グループ枠へ振分けが自動的に行われる。
従って、ユーザの撮像の用途に応じて、レシーバＲＶを自動的に各グループ枠に振分けがされるため、ユーザがレシーバＲＶごとの属性情報を確認しながらレシーバＲＶごとにグループ枠の設定操作を行う必要がなくなる。これにより、ユーザの入力操作の時間を大幅に短縮でき、利便性の向上を図ることができる。
また、ユーザがそれぞれのレシーバＲＶの属性情報を知らなかった場合であっても、ユーザの用途に応じて適切にグループ枠へのレシーバＲＶの振分けが行われる。即ち、ユーザの用途に応じたレシーバＲＶを容易に探し出すこともできる。
【０１５２】
また設定部３０ａがユーザの入力情報に基づいて各グループ枠の属性を設定するとともに、振分部３０ｂによる振分けの結果、設定された属性のレシーバＲＶ（外部通信装置）が振分けられていないグループ枠があることをユーザに対して通知するための処理を行う通知部３０ｃを備える（図１５のステップＳ４１３）。
ユーザの入力情報に基づいて各グループ枠の属性を設定し、グループ枠ごとに設定された属性のレシーバＲＶを振分けた際、グループ枠に振分けることができるレシーバＲＶが存在しないことがある。この場合においてはユーザにその旨を通知する。
従って、ユーザは、レシーバＲＶを追加する必要があるか、グループ枠の設定の条件を変更する必要があるかを通知により容易に確認することができる。
【０１５３】
また振分部３０ｂは、通信部３８を介して得たレシーバＲＶ（外部通信装置）の種別情報を用いて、グループ枠に振分けられた複数のレシーバＲＶ（外部通信装置）が共通の属性を有するように、レシーバＲＶ（外部通信装置）のグループ枠への振分けを行う。
これにより、ユーザがレシーバＲＶの属性情報を知らなかった場合であっても、ユーザの用途に応じて適切にグループ枠への振分けを行うことができる。また、レシーバＲＶの種別情報を用いることで、ユーザの用途に必要なグループ枠へのレシーバＲＶの振分けをより正確に行うことができる。
【０１５４】
また振分部３０ｂは、通信部３８を介して得たレシーバＲＶ（外部通信装置）の位置情報を用いてレシーバＲＶ（外部通信装置）のグループ枠への振分けを行う（図１９）。
これにより、位置情報に応じたレシーバＲＶのグループへの振分けが自動的に行われる。
従ってユーザは、レシーバＲＶを配置した状態を確認しながらグループ枠を柔軟に設定することができる。即ち、レシーバＲＶをそれぞれグループ枠への振分けした後に、実際設置してみたらグループ枠の設定を修正する必要が生じたといった手間を省くことができる。
また、コマンダＣＭＤからグループ枠の設定及びグループ枠へのレシーバＲＶの振分けを行えるため、レシーバＲＶを配置した状態においてわざわざ配置した場所までユーザが移動する必要がなくなるため、ユーザの利便性をより一層向上させることができる。
【０１５５】
またレシーバＲＶ（外部通信装置）のグループ枠への振分け中又は振分け後に、レシーバＲＶ（外部通信装置）が新たに追加された場合、振分部３０ｂは追加されたレシーバＲＶ（外部通信装置）の情報を用いて追加されたレシーバＲＶ（外部通信装置）のグループ枠への振分けを行う（図１１のステップＳ３１４）。
これにより、追加されたレシーバＲＶについても自動的にグループ枠への振分けが行われる。
従って、ユーザは、グループ枠への振分け当初には予定していなかったレシーバＲＶについても、柔軟に追加することが可能となり、ユーザの利便性をより一層向上することができる。
【０１５６】
またレシーバＲＶはフラッシュ装置１（発光装置）とされる。
即ち、レシーバＲＶとしてのフラッシュ装置１について、取得した情報に応じたグループ枠への振分けが自動的に行われる。
レシーバＲＶとしてのフラッシュ装置１は、カメラ装置１０による撮像の際に、被写体をどのように撮像するかに応じて、様々な位置に配置したり、発光量を調節するために台数や機種を変更する機会が多い。従って、フラッシュ装置１の台数情報、発光量情報や位置情報などに応じてグループ枠へ振分けを行うことは、フラッシュ装置１のような発光装置において特に有用である。
【０１５７】
なお実施の形態におけるフラッシュ装置１の構成や処理例は一例である。説明した以外にも多様な構成例や処理例は想定される。
【０１５８】
本技術においては、コマンダＣＭＤをフラッシュ装置１として説明したが、カメラ装置１０をコマンダＣＭＤとすることもできる。この場合、カメラ装置１０のカメラ制御部５０は、図示しない取得部３０ａ、設定部３０ａ、振分部３０ｂ及び通知部３０ｃを有している。
カメラ装置１０にはフラッシュ装置１と同様に通信部６０が設けられ、取得部３０ａはレシーバＲＶの情報を取得する。カメラ装置１０の設定部３０ａは、ユーザの操作入力部５７を介した入力情報に基づいてグループ枠を設定し、振分部３０ｂは、取得部３０ａが取得したレシーバＲＶの情報を用いてレシーバＲＶのグループ枠への振分けを行う。
【０１５９】
本発明の実施の形態のプログラムは、無線通信の接続対象となる他の通信機器の全部又は一部である外部通信装置の情報を取得する機能と、前記外部通信装置の振分け先とする１又は複数のグループ枠を設定する機能と、前記情報に基づいて、前記外部通信装置を前記設定したグループ枠に振分ける機能と、を通信装置に実行させるプログラムである。
より具体的には、図７、図９、図１１、図１２、図１４、図１６、図１７、図１９に示す各処理の何れかを演算処理装置としてのフラッシュ制御部３０に実行させるプログラムである。
【０１６０】
このようなプログラムにより本実施の形態のフラッシュ装置１の実現が容易となる。
そしてこのようなプログラムは演算処理装置等の機器に内蔵されている記録媒体や、ＣＰＵを有するマイクロコンピュータ内のＲＯＭ等に予め記憶しておくことができる。あるいはまた、半導体メモリ、メモリカード、光ディスク、光磁気ディスク、磁気ディスクなどのリムーバブル記録媒体に、一時的あるいは永続的に格納（記憶）しておくことができる。またこのようなリムーバブル記録媒体は、いわゆるパッケージソフトウェアとして提供することができる。
また、このようなプログラムは、リムーバブル記録媒体からパーソナルコンピュータ等にインストールする他、ダウンロードサイトから、ＬＡＮ、インターネットなどのネットワークを介してダウンロードすることもできる。
【０１６１】
なお、本明細書においては、コマンダＣＭＤ及びレシーバＲＶとしてフラッシュ装置１を例に挙げて説明したが、本技術は、コマンダＣＭＤから複数台のレシーバＲＶに無線通信を行うことが可能な通信機器であれば、様々な態様で適用することが可能である。
【０１６２】
また、本明細書に記載された効果はあくまでも例示であって限定されるものではなく、また他の効果があってもよい。
【０１６３】
ここで、本実施の形態におけるワイヤレスフラッシュシステムのレシーバＲＶ側の処理について説明する。本実施の形態におけるレシーバＲＶはフラッシュ装置１であり、コマンダＣＭＤと同様の構成を有するものである。
まずレシーバＲＶのフラッシュ制御部３０は、図７ＡのステップＳ１０１においてコマンダＣＭＤからのペアリング要求を受信すると、通信ＩＤ等のペアリングに必要な情報を通信部得３８を介して送信する処理を行う。レシーバＲＶから送信された当該情報は、コマンダＣＭＤのメモリ部３１等に記憶される。これにより、コマンダＣＭＤとレシーバＲＶのペアリング処理が完了する。
【０１６４】
レシーバＲＶのフラッシュ制御部３０は、図７ＢのステップＳ２０２におけるコマンダＣＭＤからのリンクアップ処理によって、コマンダＣＭＤと通信可能な状態となる。
その後レシーバＲＶのフラッシュ制御部３０は、コマンダＣＭＤの要求に応じて、レシーバＲＶの情報を、通信部３８を介してコマンダＣＭＤに送信する。
コマンダＣＭＤは、レシーバＲＶから受信したレシーバＲＶの情報に基づいて、グループ枠の振分種別の設定処理や、グループ枠へのレシーバＲＶの振分け処理を行う。
【０１６５】
そしてレシーバＲＶのフラッシュ制御部３０は、コマンダＣＭＤからの操作情報を、通信部３８を介して受信すると、レシーバＲＶに当該操作情報に応じた動作を行わせる処理を行う。例えばコマンダＣＭＤからの操作に応じて、レシーバＲＶであるフラッシュ装置１にフラッシュ光を照射させる。
このようにレシーバＲＶには、コマンダＣＭＤからの指示に応じて様々な操作を行わせることが可能となる。
【０１６６】
実施の形態の通信装置（レシーバＲＶ）は、通信部３８と、コマンダＣＭＤ（上位機器）に対して、コマンダＣＭＤ（上位機器）でのグループ枠への振分処理に用いる自己の情報を、通信部３８を介して送信させる制御部（フラッシュ制御部３０）と、を備える。
これにより、レシーバＲＶごとにユーザが入力操作を行うことでグループ枠を設定することなしに、コマンダＣＭＤ側の設定に応じてレシーバＲＶをグループ枠に自動的に振分けることができる。
【０１６７】
なお本技術は以下のような構成も採ることができる。
（１）複数の外部通信装置と通信する通信部と、
前記通信部を介して得た前記複数の外部通信装置の情報に基づいて、前記複数の外部通信装置を１又は複数のグループ枠のいずれかに振り分ける振分部と、
を備える通信装置。
（２）前記外部通信装置の振分け先とする１又は複数のグループ枠の振分種別を設定する設定部を更に備える
上記（１）に記載の通信装置。
（３）前記設定部は、前記通信部を介して得た前記外部通信装置の情報に基づいて前記１又は複数のグループ枠の振分種別を設定する
上記（２）に記載の通信装置。
（４）前記設定部は、ユーザの入力情報に基づいて前記１又は複数のグループ枠の振分種別を設定する
上記（２）又は（３）に記載の通信装置。
（５）前記振分部は、前記通信部と接続する前記外部通信装置の数の情報を用いて前記外部通信装置のグループ枠への振分けを行う
上記（３）又は（４）に記載の通信装置。
（６）前記振分部は、前記通信部を介して得た前記外部通信装置の発光量情報を用いて前記外部通信装置のグループ枠への振分けを行う
上記（３）乃至（５）の何れかに記載の通信装置。
（７）前記設定部は、ユーザにより入力された発光量比率の情報に基づいて、各グループ枠の発光量比率を設定し、
前記振分部は、各グループ枠の発光量比率と前記通信部を介して得た前記外部通信装置の発光量情報を用いて、前記外部通信装置のグループ枠への振分けを行う
上記（６）に記載の通信装置。
（８）前記振分部は、複数の前記外部通信装置のうち発光量の大きいものから順番にグループ枠への振分けを行う
上記（６）又は（７）に記載の通信装置。
（９）設定された各グループ枠の発光量比率と、振分けられた各グループ枠の前記外部通信装置の発光量比率との比較結果に応じて、ユーザに対して通知するための処理を行う通知部を備える
上記（７）又は（８）に記載の通信装置。
（１０）前記振分部は、前記通信部を介して得た前記外部通信装置の属性情報を用いて、グループ枠に振分けられた複数の前記外部通信装置が共通の属性を有するように、前記外部通信装置のグループ枠への振分けを行う
上記（３）乃至（９）の何れかに記載の通信装置。
（１１）前記設定部がユーザの入力情報に基づいて各グループ枠の属性を設定するとともに、
前記振分部による振分けの結果、設定された属性の前記外部通信装置が振分けられていないグループ枠があることをユーザに対して通知するための処理を行う通知部を備える
上記（３）乃至（１０）の何れかに記載の通信装置。
（１２）前記振分部は、前記通信部を介して得た前記外部通信装置の種別情報を用いて、グループ枠に振分けられた複数の前記外部通信装置が共通の属性を有するように、前記外部通信装置のグループ枠への振分けを行う
上記（１０）又は（１１）に記載の通信装置。
（１３）前記振分部は、前記通信部を介して得た前記外部通信装置の位置情報を用いて前記外部通信装置のグループ枠への振分けを行う
上記（３）乃至（１２）の何れかに記載の通信装置。
（１４）前記外部通信装置のグループ枠への振分け中又は振分け後に、外部通信装置が新たに追加された場合、前記振分部は前記追加された外部通信装置の情報を用いて前記追加された外部通信装置のグループ枠への振分けを行う
上記（３）乃至（１３）の何れかに記載の通信装置。
（１５）前記外部通信装置は発光装置とされる
上記（１）乃至（１４）の何れかに記載の通信装置。
（１６）複数の外部通信装置と通信を行い、
前記通信を介して得た前記複数の外部通信装置の情報に基づいて、前記複数の外部通信装置を１又は複数のグループ枠のいずれかに振り分ける
通信装置の制御方法。
（１７）通信装置と、該通信装置との通信の接続対象となる複数の外部通信装置と、を備え、
前記通信装置は、
前記複数の外部通信装置と通信を行い、
前記通信を介して得た前記複数の外部通信装置の情報に基づいて、前記複数の外部通信装置を１又は複数のグループ枠のいずれかに振り分ける
通信システム。
（１８）通信部と、
上位機器に対して、前記上位機器でのグループ枠への振分処理に用いる自己の情報を、前記通信部を介して送信させる制御部と、を備える
通信装置。
【符号の説明】
【０１６８】
１…フラッシュ装置、１０…カメラ装置、３０…フラッシュ制御部、３０ａ…設定部、３０ｂ…振分部、３２…発光部、３３…発光回路制御、３９…通信部
【図１】
2019028222.tif 000003
【図２】
2019028222.tif 000004
【図３】
2019028222.tif 000005
【図４】
2019028222.tif 000006
【図５】
2019028222.tif 000007
【図６】
2019028222.tif 000008
【図７】
2019028222.tif 000009
【図８】
2019028222.tif 000010
【図９】
2019028222.tif 000011
【図１０】
2019028222.tif 000012
【図１１】
2019028222.tif 000013
【図１２】
2019028222.tif 000014
【図１３】
2019028222.tif 000015
【図１４】
2019028222.tif 000016
【図１５】
2019028222.tif 000017
【図１６】
2019028222.tif 000018
【図１７】
2019028222.tif 000019
【図１８】
2019028222.tif 000020
【図１９】
2019028222.tif 000021